(57)【要約】【課題】コンテンツ情報を短時間に選択でき、かつ、ユーザビリティの高いレコーダ装置を提供する。【解決手段】光ディスクを装着するトレイ１５ａ〜１５ｄを複数備え、複数のトレイのそれぞれに装着された装着光ディスクに記録されているコンテンツを示すコンテンツ情報及びそのコンテンツの属性を示す属性情報を、少なくとも、装着光ディスクのそれぞれから取得するか、通信回線を介して取得すると共に、取得したコンテンツ情報と属性情報とを関連付けて記憶部３４０に記録するコンテンツ情報取得部２４５と、記憶部３４０に記録されているコンテンツ情報のうち、コンテンツ同士が互いに関連するコンテンツ情報を、属性情報に基づいて抽出する抽出部２５５と、抽出したコンテンツ情報をコンテンツ表示部５１０に一覧表示させる画像処理部２７０と、を備える。それゆえ、コンテンツ情報を短時間に選択でき、かつ、ユーザビリティの高いレコーダ装置が実現する。【選択図】図１
2010250911.tif 000002
【特許請求の範囲】
【請求項１】
着脱型記録媒体を装着する装着部を複数備えた再生装置であって、
前記複数の装着部のそれぞれに装着された装着着脱型記録媒体に記録されているコンテンツを示すコンテンツ情報及びそのコンテンツの属性を示す属性情報を、少なくとも、前記装着着脱型記録媒体のそれぞれから取得するか、通信回線を介して取得すると共に、取得したコンテンツ情報と属性情報とを関連付けてメモリに記録する取得手段と、
前記メモリに記録されているコンテンツ情報のうち、コンテンツ同士が互いに関連するコンテンツ情報を、前記属性情報に基づいて抽出する抽出手段と、
前記抽出したコンテンツ情報を表示部に一覧表示させる表示制御手段と、
を備えることを特徴とする再生装置。
【請求項２】
前記属性情報は、コンテンツのタイトル情報、放送回数、クレジットタイトル情報、チャプター情報、コンテンツ関連情報のうち、少なくとも何れか１つを含むことを特徴とする請求項１に記載の再生装置。
【請求項３】
前記コンテンツ情報は、コンテンツの１場面に対応した、静止画像サムネイルまたは動画像サムネイルであることを特徴とする請求項１又は２に記載の再生装置。
【請求項４】
前記取得手段は、さらに、ユーザーが抽出したコンテンツ情報及び属性情報を取得すると共に、取得したコンテンツ情報と属性情報とを関連付けて前記メモリに記録することを特徴とする請求項１から３の何れか１項に記載の再生装置。
【請求項５】
前記表示制御手段は、前記抽出されたコンテンツ情報のうち、そのコンテンツ情報を記録した着脱型記録媒体が前記装着部に装着されていない場合には、当該コンテンツ情報の表示方法を変更させることを特徴とする請求項１から４の何れか１項に記載の再生装置。
【請求項６】
前記表示制御手段は、前記抽出されたコンテンツ情報のうち、規則的に選択されたコンテンツ情報を前記表示部に表示させることを特徴とする請求項１から５の何れか１項に記載の再生装置。
【請求項７】
前記表示制御手段は、前記表示部に表示されたカーソルの動きに基づいて、前記抽出されたコンテンツ情報のうち、前記表示部に表示されなかったコンテンツ情報を規則的に選択して前記表示部に表示させることを特徴とする請求項６に記載の再生装置。
【請求項８】
前記属性情報に含まれる放送回数に基づいて前記コンテンツ情報が抽出される場合であって、その放送回数が連続性を喪失している場合に、
前記表示制御手段は、当該連続性を喪失した放送回数を示す情報を表示させることを特徴とする請求項２から７の何れか１項に記載の再生装置。
【請求項９】
着脱型記録媒体を装着する装着部を複数備えた再生装置のコンテンツ情報抽出方法であって、
前記複数の装着部のそれぞれに装着された装着着脱型記録媒体に記録されているコンテンツを示すコンテンツ情報及びそのコンテンツの属性を示す属性情報を、少なくとも、前記装着着脱型記録媒体のそれぞれから取得するか、通信回線を介して取得すると共に、取得したコンテンツ情報と属性情報とを関連付けてメモリに記録する取得ステップと、
前記メモリに記録されているコンテンツ情報のうち、コンテンツ同士が互いに関連するコンテンツ情報を、前記属性情報に基づいて抽出する抽出ステップと、
前記抽出したコンテンツ情報を表示部に一覧表示させる表示ステップと、
を含むことを特徴とするコンテンツ情報抽出方法。
【請求項１０】
着脱型記録媒体を装着する装着部を複数備えた再生装置のコンテンツ情報抽出プログラムであって、
前記複数の装着部のそれぞれに装着された装着着脱型記録媒体に記録されているコンテンツを示すコンテンツ情報及びそのコンテンツの属性を示す属性情報を、少なくとも、前記装着着脱型記録媒体のそれぞれから取得するか、通信回線を介して取得すると共に、取得したコンテンツ情報と属性情報とを関連付けてメモリに記録する取得ステップと、
前記メモリに記録されているコンテンツ情報のうち、コンテンツ同士が互いに関連するコンテンツ情報を、前記属性情報に基づいて抽出する抽出ステップと、
前記抽出したコンテンツ情報を表示部に一覧表示させる表示ステップと、
をコンピュータに実行させるためのコンテンツ情報抽出プログラム。
【請求項１１】
請求項１０に記載のコンテンツ情報抽出プログラムを記録したコンピュータ読み取り可能な記録媒体。
【発明の詳細な説明】
【技術分野】
【０００１】
本発明は、着脱型記録媒体を装着する装着部を複数備えた再生装置、その再生装置に係るコンテンツ情報抽出方法、コンテンツ情報抽出プログラム、及びコンピュータ読み取り可能な記録媒体に関する。
【背景技術】
【０００２】
従来から、複数枚のディスクをディスクチェンジ機構に装填しておいて、その中からユーザーによって指定されたディスクを取り出して、ディスク上に記録されている情報の再生を行うチェンジャ方式のディスク再生装置が知られている。
【０００３】
例えば、複数のＣＤ（コンパクトディスク）を装填しておき、一のＣＤ等に記録されている音楽の再生を行うディスク再生装置が普及している。また最近では、複数のＤＶＤ（デジタルバーサタイルディスク）を装填しておき、一のＤＶＤに記録されている映画等の映像と音声を再生するディスク再生装置も普及し始めている。
【０００４】
ここで、ディスクに記録済みのコンテンツのシーンを選択して再生するためには、個々のディスクをローディングしてディスク再生した上で、ディスクのメニュー画面などからユーザーにシーン選択させる必要があり、ユーザーが希望するシーンを見つけるまでに時間がかかる。特にディスクチェンジャーに多数のディスクが収納されており、ユーザーが探しているディスクやタイトルではないディスクも収納されている場合は、シーン選択からユーザーが希望するシーンの再生開始までに更に時間を要するという問題がある。
【０００５】
この点、特許文献１に記載のディスク再生装置は、特徴映像抽出部が、ディスクチェンジャーに装填されている複数のＤＶＤに記録されているメニュー画面をデコードする制御を行い、ビデオデコーダによってデコードされたメニュー画面の映像データを縮小して所定の特徴映像データを生成し、これをハードディスク装置に格納する。そして、インデックス画面作成部が、ハードディスク装置に格納されている特徴映像データを読み出し、この特徴映像データを用いて複数の特徴映像を含む所定のインデックス画面を作成し、表示する処理を行っている。
【０００６】
特許文献２に記載のディスク再生装置は、複数枚数のディスクが装填可能なディスク再生装置において、動画像に記録されているフレーム内符号化画像データに基づいて再生動画の１場面に対応した静止画映像を形成する。そして、この静止画像映像をディスクのそれぞれに対応させて１画面内に分割表示したメニュー画面を作成して表示するか、所定の間隔で順番に表示する。
【０００７】
特許文献３に記載の映像ファイル管理方法は、複数の映像ファイルの管理方法で、サムネイル表示に用いる属性情報に含まれる位置情報がＭＰＥＧのイントラ符号化フレームの映像ファイル内位置情報であって、位置情報として任意な１つのフレームを指定して、このフレームを静止画として、または、このフレームから一定期間の動画像として、サムネイル表示する。
【先行技術文献】
【特許文献】
【０００８】
【特許文献１】特開２００３−１０１９２５号公報（公開日２００３年４月４日）
【特許文献２】特開平１０−２００８５３号公報（公開日１９９８年７月３１日）
【特許文献３】特開２００３−６１０３９号公報（公開日２００３年２月２８日）
【発明の概要】
【発明が解決しようとする課題】
【０００９】
しかしながら、特許文献１から３の何れにも、複数のディスクから取得した複数のコンテンツ情報（例えばサムネイル）のうち、コンテンツ同士が互いに関連するコンテンツ情報を、コンテンツの属性情報に基づいて抽出し、かつ表示する構成は開示されていない。
【００１０】
このことを、図３９を参照して説明する。図３９（ａ）〜（ｄ）は、従来のサムネイルの表示例を示す図である。同図（ａ）・（ｂ）に示すように、従来のディスク再生装置におけるサムネイル表示は、ディスクごとにタイトルのサムネイルが表示がされていた。あるいは、同図（ｃ）（ｄ）に示すように、従来のディスク再生装置におけるサムネイル表示は、ディスクごとにチャプターのサムネイルが表示されていた。
【００１１】
つまり、複数のディスクを装填可能なディスクチェンジャー機能を有するディスク再生装置において、ディスクに記録されたコンテンツの１シーンを選択して再生するためには、個々のディスクをローディングしてディスク再生した上で、そのディスクのメニュー画面などからユーザーに所望のシーンを選択させる必要があった。
【００１２】
従って、ユーザーが希望するシーンを見つけるまでには長い時間を要していた。特に、ディスクチェンジャーに多数のディスクが装填されており、ユーザーが探しているシーンが記録されたディスクが再生位置にローディングされていない場合には、シーン選択からユーザーが希望するシーンの再生開始までにさらに長い時間を要していた。
【００１３】
本発明は、前記の問題点に鑑みてなされたものであり、その目的は、コンテンツ情報を短時間に選択でき、かつ、ユーザビリティの高い再生装置、コンテンツ情報抽出方法、コンテンツ情報抽出プログラム、及びコンピュータ読み取り可能な記録媒体を提供することにある。
【課題を解決するための手段】
【００１４】
本発明に係る再生装置は、前記課題を解決するために、着脱型記録媒体を装着する装着部を複数備えた再生装置であって、前記複数の装着部のそれぞれに装着された装着着脱型記録媒体に記録されているコンテンツを示すコンテンツ情報及びそのコンテンツの属性を示す属性情報を、少なくとも、前記装着着脱型記録媒体のそれぞれから取得するか、通信回線を介して取得すると共に、取得したコンテンツ情報と属性情報とを関連付けてメモリに記録する取得手段と、前記メモリに記録されているコンテンツ情報のうち、コンテンツ同士が互いに関連するコンテンツ情報を、前記属性情報に基づいて抽出する抽出手段と、前記抽出したコンテンツ情報を表示部に一覧表示させる表示制御手段と、を備えることを特徴としている。
【００１５】
また、本発明に係るコンテンツ情報抽出方法は、前記課題を解決するために、着脱型記録媒体を装着する装着部を複数備えた再生装置のコンテンツ情報抽出方法であって、前記複数の装着部のそれぞれに装着された装着着脱型記録媒体に記録されているコンテンツを示すコンテンツ情報及びそのコンテンツの属性を示す属性情報を、少なくとも、前記装着着脱型記録媒体のそれぞれから取得するか、通信回線を介して取得すると共に、取得したコンテンツ情報と属性情報とを関連付けてメモリに記録する取得ステップと、前記メモリに記録されているコンテンツ情報のうち、コンテンツ同士が互いに関連するコンテンツ情報を、前記属性情報に基づいて抽出する抽出ステップと、前記抽出したコンテンツ情報を表示部に一覧表示させる表示ステップと、を含むことを特徴としている。
【００１６】
前記の構成によれば、本発明に係る再生装置では、前記取得手段が、前記装着着脱型記録媒体のそれぞれなどから取得したコンテンツ情報と属性情報とを関連付けてメモリに記録する。そして、抽出手段が、属性情報に基づいて、コンテンツ同士が互いに関連するコンテンツ情報をメモリから抽出し、表示制御手段が、その抽出されたコンテンツ情報を表示部に一覧表示させる。
【００１７】
このように、本発明に係る再生装置では、コンテンツ同士が互いに関連するコンテンツ情報をコンテンツの属性情報に基づいてメモリから抽出する。つまり、本発明に係る再生装置は、コンテンツ単位で記録されたコンテンツ情報をメモリから読み出すため、視聴したいコンテンツをすぐに見つけることができる。
【００１８】
従って、個々の着脱型記録媒体からコンテンツ情報を随時読み出し、視聴したいコンテンツが見つからなければ、他のディスクをローディングする必要があった従来の再生装置に比べて、より短時間にユーザーが求めるコンテンツ情報を表示部に表示することができる。
【００１９】
加えて、コンテンツの関連性が属性情報に基づいて判断されるため、従来の再生装置のように着脱型記録媒体単位ではなく、コンテンツ単位でコンテンツ情報が表示部に表示される。
【００２０】
それゆえ、関連性のないコンテンツ情報を排除したうえで、関連性のあるコンテンツ情報のみを表示部に一覧表示することができ、ユーザーは、一覧表示されたコンテンツ情報を確認し、その一覧表示されたコンテンツ情報をクリックするなどして、所望のコンテンツを短時間のうちに視聴することができる。その結果、コンテンツ情報を選択する際のユーザビリティが格段に向上する。
【００２１】
このように、本発明に係る再生装置およびコンテンツ情報抽出方法は、コンテンツ情報を短時間に選択することができ、かつ、ユーザビリティを格段に向上させることができる。
【００２２】
本発明に係る再生装置では、前記属性情報は、コンテンツのタイトル情報、放送回数、クレジットタイトル情報、チャプター情報、コンテンツ関連情報のうち、少なくとも何れか１つを含む構成とすることができる。
【００２３】
前記構成を備えることにより、コンテンツのタイトル情報、放送回数、クレジットタイトル情報、チャプター情報、コンテンツ関連情報に基づいて、コンテンツ同士が互いに関連するコンテンツ情報を抽出することができる。
【００２４】
従って、例えば「タイトル情報」、「放送回数」に基づいてコンテンツ情報が抽出された場合には、「タイトルＡ」、「第ｎ放送回数」という属性情報を有するコンテンツが互いに関連すると判断され、該当するコンテンツのコンテンツ情報が抽出される。
【００２５】
このとき、そのコンテンツ情報が同一の着脱型記録媒体に記録されているか、異なる着脱型記録媒体に記録されているかに係らず、コンテンツ情報が抽出される。それゆえ、ユーザーは、短時間のうちに、関連性のあるコンテンツ情報を表示部で視認することができる。
【００２６】
なお、コンテンツのタイトル情報、放送回数、クレジットタイトル情報、チャプター情報、コンテンツ関連情報等のうち、何れの情報に基づいてコンテンツ情報を取得するかはユーザーが再生装置に適宜設定すれば良い。これにより、よりユーザーの嗜好に合ったコ
ンテンツ情報を短時間のうちに抽出することができる。
【００２７】
本発明に係る再生装置では、前記コンテンツ情報は、コンテンツの１場面に対応した、静止画像サムネイルまたは動画像サムネイルである構成とすることができる。
【００２８】
サムネイルとは、実際に着脱型記録媒体に記録されている画像サイズよりも縮小したサイズの画像であって、コンテンツ（映像）ファイル一覧を表示する際に、映像ファイルの一部ないし全部を縮小画像で表示することによってコンテンツの内容をより確実に把握することを目的とした縮小画像のことである。そして、静止画像サムネイルとは、着脱型記録媒体に記録されたコンテンツの１場面に対応した静画像のサムネイルのことをいい、動画像サムネイルとは、着脱型記録媒体に記録されたコンテンツの１場面に対応した動画像のサムネイルのことをいう。
【００２９】
つまり、表示部に一覧表示されるコンテンツ情報が、コンテンツの１場面（シーン）に対応した静止画像サムネイル、または、動画像サムネイルであれば、ユーザーは、視聴したいシーンをより簡単に見つけることができ、そのサムネイルをクリックするなどして、所望のコンテンツを短時間のうちに視聴することができる。それゆえ、視聴したいシーンを選択する際のユーザビリティを格段に向上させることができる。
【００３０】
本発明に係る再生装置では、前記取得手段は、さらに、ユーザーが抽出したコンテンツ情報及び属性情報を取得すると共に、取得したコンテンツ情報と属性情報とを関連付けて前記メモリに記録する構成とすることができる。
【００３１】
ユーザーは、自身のお気に入りのシーンをチェックしておき、後からそのシーンを再び視聴したい場合がある。そのような場合、前記取得手段が、ユーザーによって抽出されたコンテンツ情報及び属性情報を取得すれば、抽出手段は、そのコンテンツ情報及び属性情報をも含めた中から、コンテンツ同士が互いに関連するコンテンツ情報を、属性情報に基づいて抽出することができる。
【００３２】
それゆえ、単に再生装置が抽出したコンテンツ情報のみならず、ユーザーが抽出したコンテンツ情報を表示部に一覧表示することができ、ユーザーにとってのユーザビリティがさらに向上する。
【００３３】
本発明に係る再生装置では、前記表示制御手段は、前記抽出されたコンテンツ情報のうち、そのコンテンツ情報を記録した着脱型記録媒体が前記装着部に装着されていない場合には、当該コンテンツ情報の表示方法を変更させる構成とすることができる。
【００３４】
前記構成を備えることにより、前記抽出されたコンテンツ情報が表示部に一覧表示されたときに、そのコンテンツ情報を記録した着脱型記録媒体が前記装着部に装着されているか否かをユーザーは容易に確認することができる。
【００３５】
従って、ユーザーは、自身が視聴したいシーン（又は、タイトルやチャプター）が現在すぐには再生できないことを知ることができ、そのシーンが記録された着脱型記録媒体を再生装置に装填する契機とすることができる。
【００３６】
さらに、すぐに再生できないシーンを飛び越えて、次のシーン、例えば次の放送回数のシーンを間違って視聴するという事態を回避することができる。
【００３７】
本発明に係る再生装置では、前記表示制御手段は、前記抽出されたコンテンツ情報のうち、規則的に選択されたコンテンツ情報を前記表示部に表示させる構成とすることができ
る。
【００３８】
前記抽出されたコンテンツ情報を表示部に一覧表示する際に、すべてのコンテンツ情報を一画面に表示することが困難な場合がある。そのような場合に、例えば、隣接するチャプター間隔が短い箇所はシーンも類似していること考えられ、あえて個別に表示する必要性がないこともある。また、ユーザーが当該シーンを選択するつもりがない場合は、無駄なコンテンツ情報が表示部に表示されていることになり、ユーザーが視聴したいシーンを選択するうえで余計な時間を要することにもつながる。
【００３９】
そこで、すべてのコンテンツ情報を表示せず、規則的に選択された代表的なコンテンツ情報のみを表示することで、シーン選択のためにコンテンツ情報が表示された画面のスクロール回数を削減し、視聴したいシーンをより短時間に選択することが可能となる。
【００４０】
なお、「規則的に選択」とは、例えば、奇数番目または偶数番目のタイトル（またはチャプター）のみのサムネイル画像を表示する、各着脱型記録媒体の先頭タイトル（またはチャプター）のみのサムネイル画像を表示する、といった規則性に従ってコンテンツ情報を選択することをいい、何れの規則性に基づいてコンテンツ情報を選択するかは、ユーザーが再生装置に適宜設定して決めることができる。
【００４１】
本発明に係る再生装置では、前記表示制御手段は、前記表示部に表示されたカーソルの動きに基づいて、前記抽出されたコンテンツ情報のうち、前記表示部に表示されなかったコンテンツ情報を規則的に選択して前記表示部に表示させる構成とすることができる。
【００４２】
上述したように、すべてのコンテンツ情報を表示せず、規則的に選択された代表的なコンテンツ情報のみを表示することにより、シーン選択のためにコンテンツ情報が表示された画面のスクロール回数を削減し、視聴したいシーンをより短時間に選択することが可能となる。しかしながら、その一方で、視聴者が視聴したいシーンの近傍のコンテンツ情報が表示されず、シーン選択に手間取ることも考えられる。
【００４３】
そこで、表示部に表示されたカーソルの動きに基づいて、前記抽出されたコンテンツ情報のうち、表示部に表示されなかったコンテンツ情報を規則的に選択して表示部に表示することにより、表示部に表示していなかったコンテンツ情報のタイトルやチャプターを表示でき、ユーザーは、視聴したいシーンをより短時間に選択することができる。
【００４４】
なお、「規則的に選択」とは、例えば、各着脱型記録媒体の先頭タイトルのみのコンテンツ情報や、奇数番目のタイトルのみのコンテンツ情報を表示している場合に、表示部に表示されている１つの着脱型記録媒体のタイトルのコンテンツ情報を示す画像上にカーソルが移動した場合に、そのディスクに記録されているすべてのタイトルを表示する、といった規則性に従ってコンテンツ情報を選択することをいう。何れの規則性に基づいてコンテンツ情報を選択するかは、ユーザーが再生装置に適宜設定して決めることができる。
【００４５】
本発明に係る再生装置では、前記属性情報に含まれる放送回数に基づいて前記コンテンツ情報が抽出される場合であって、その放送回数が連続性を喪失している場合に、前記表示制御手段は、当該連続性を喪失した放送回数を示す情報を表示させる構成とすることができる。
【００４６】
前記構成を備えることにより、前記抽出されたコンテンツ情報を表示部に一覧表示する際に、そのコンテンツ情報が前記メモリに記録されているか否かをユーザーは容易に確認することができる。
【００４７】
従って、ユーザーは、自身が視聴したいシーン（又は、タイトルやチャプター）が現在すぐには再生できないことを知ることができ、そのシーンが記録された着脱型記録媒体を再生装置に装填する契機とすることができる。あるいは、このシーンが記録されている着脱型記録媒体がないのであれば、このシーンが記録されている着脱型記録媒体自体やコンテンツデータの入手が必要であることをユーザーに了知させることができる。
【００４８】
加えて、すぐに再生できないシーンを飛び越えて、次のシーン、例えば次の放送回数のシーンを間違って視聴するという事態を回避することができる。
【００４９】
なお、前記コンテンツ情報抽出方法は、コンピュータによって実現しても良く、この場合には、コンピュータを前記各手段として動作させることにより前記コンテンツ情報抽出方法をコンピュータにて実現させるコンテンツ情報抽出プログラム、およびそれを記録したコンピュータ読み取り可能な記録媒体も本発明の範疇に入る。
【発明の効果】
【００５０】
本発明に係る再生装置は、以上のように、装着部に装着された装着着脱型記録媒体のそれぞれに記録されているコンテンツを示すコンテンツ情報及びそのコンテンツの属性を示す属性情報を、少なくとも、前記装着着脱型記録媒体のそれぞれから取得するか、通信回線を介して取得すると共に、取得したコンテンツ情報と属性情報とを関連付けてメモリに記録する取得手段と、前記メモリに記録されているコンテンツ情報のうち、コンテンツ同士が互いに関連するコンテンツ情報を、前記属性情報に基づいて抽出する抽出手段と、前記抽出したコンテンツ情報を表示部に一覧表示させる表示制御手段と、を備える。
【００５１】
また、本発明に係るコンテンツ情報抽出方法は、以上のように、前記複数の装着部のそれぞれに装着された装着着脱型記録媒体に記録されているコンテンツを示すコンテンツ情報及びそのコンテンツの属性を示す属性情報を、少なくとも、前記装着着脱型記録媒体のそれぞれから取得するか、通信回線を介して取得すると共に、取得したコンテンツ情報と属性情報とを関連付けてメモリに記録する取得ステップと、前記メモリに記録されているコンテンツ情報のうち、コンテンツ同士が互いに関連するコンテンツ情報を、前記属性情報に基づいて抽出する抽出ステップと、前記抽出したコンテンツ情報を表示部に一覧表示させる表示ステップと、を含む。
【００５２】
それゆえ、コンテンツ情報を短時間に選択でき、かつ、ユーザビリティの高い再生装置、及びコンテンツ情報抽出方法を提供することができる。
【図面の簡単な説明】
【００５３】
【図１】本発明の一実施形態に係るレコーダ装置の要部構成を表すブロック図である。
【図２】レコーダ装置の要部構成を示すブロック図である。
【図３】記憶部の初期化処理を示す図であり、（ａ）は記憶部の初期化の際の表示装置における表示の一例を示す図であり、（ｂ）は初期化処理後の記憶部を模式的に示す図である。
【図４】光ディスクの登録処理を示す図であり、（ａ）は光ディスクの登録処理の際の表示装置における表示の一例を示した図であり、（ｂ）は光ディスクの登録処理後の記憶部を模式的に示した図である。
【図５】レコーダ装置における予約登録処理を示す図であり、（ａ）は予約登録処理後の記憶部の状態を模式的に示した図であり、（ｂ）は予約登録処理後の記憶部およびマイディスク１の状態を模式的に示した図であり、（ｃ）は予約登録処理の際の表示装置における表示の一例を示した図である。
【図６】マイディスクが搭載されている状態での録画処理を示す図であり、（ａ）は録画処理後の記憶部およびマイディスク１の状態を模式的に示した図であり、（ｂ）は録画処理後の記憶部の状態を模式的に示した図である。
【図７】コンテンツ１を録画した際の記憶部および記憶部の状態を示す図であり、（ａ）は記憶部の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【図８】レコーダ装置においてマイディスクが搭載されていない状態での録画処理を示す図であり、（ａ）は録画処理後の記憶部の状態を模式的に示した図であり、（ｂ）は録画処理後の記憶部の状態を模式的に示した図である。
【図９】コンテンツ２を録画した際の記憶部および記憶部の状態を示す図であり、（ａ）は記憶部の領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【図１０】コンテンツの同期処理後の記憶部およびディスク１の状態を示す図である。
【図１１】コンテンツ２を同期処理した際の記憶部および記憶部の状態を示す図であり、（ａ）は記憶部の領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【図１２】コンテンツ２を同期処理した際の記憶部および記憶部の状態を示す図であり、（ａ）は仮想ディスクイメージにおけるコンテンツ２の先頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【図１３】マイディスクが搭載されている状態での録画のため、コンテンツ４はディスク１に対しても記録されている様子を示す図である。
【図１４】コンテンツ４を録画した際の記憶部および記憶部の状態を示す図であり、（ａ）は記憶部の領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【図１５】コンテンツ１〜３を記録したディスク１が搭載されている場合の記憶部および記憶部の状態を示す図である。
【図１６】再生するコンテンツが読み出される媒体を模式的に示した図である。
【図１７】ドライブ部に光ディスクが搭載されていない場合の記憶部および記憶部の状態を示す図である。
【図１８】再生するコンテンツが読み出される媒体を模式的に示した図である。
【図１９】コンテンツが編集される媒体を模式的に示した図である。
【図２０】コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【図２１】本実施形態に係るレコーダ装置におけるメモリ内コピー処理を示す図であり、（ａ）は、メモリ内コピー処理後の記憶部の状態を示す図であり、（ｂ）はメモリ内コピー処理後の記憶部におけるタイトル管理領域の状態を示す図である。
【図２２】ファイルシステムを用いたデータ管理を示す図であり、（ａ）はファイルシステム管理領域に記録されたファイルシステムの一例を示し、（ｂ）は領域１におけるコンテンツの記録状態に対応するディスク１の記録状態の対応関係を示し、（ｃ）はコンテンツ１を構成するファイルのマップテーブルを示す図である。
【図２３】表示装置におけるコンテンツおよびタイトルリストに記録されている情報の表示を概略的に示す図である。
【図２４】ターンテーブルのトレイの一部が、レコーダ装置のドライブ部筐体から突出している状態を示す概略図である。
【図２５】ターンテーブルの全体が、レコーダ装置のドライブ部筐体内に収納されている状態を示す概略図である。
【図２６】ターンテーブルのトレイにセッティングされた光ディスクが、記録再生対象になっている状態を示す概略図である。
【図２７】（ａ）〜（ｃ）は、上記記録再生装置におけるローディング動作を説明するための概略図である。
【図２８】複数の光ディスクから取得したコンテンツについて、光ディスク単位ではなく、コンテンツのタイトル・放送回数情報に基づいてサムネイルが表示された様子を示す図である。
【図２９】本実施の形態に係るレコーダ装置の動作フローを説明するための図である。
【図３０】（ａ）・（ｂ）は、属性情報に含まれるタイトル・放送回数の関連性・連続性に基づいて抽出部が動画像サムネイルを抽出した場合であって、連続性を喪失した放送回数分のコンテンツを記録した光ディスクがレコーダ装置から排出されたときの表示例を示す。
【図３１】（ａ）・（ｂ）は、属性情報に含まれるタイトル・放送回数の関連性・連続性に基づいて抽出部が動画像サムネイルを抽出した場合であって、レコーダ装置に装填された光ディスクには記録されていなかった、欠落した放送回数分のコンテンツが存在するときの表示例を示す。
【図３２】抽出部が抽出したサムネイル画像数が多い場合の表示例を示す図である。
【図３３】（ａ）は、レコーダ装置に装填される各光ディスクにおいてユーザー指定の代表タイトル（またはチャプター）を決めておき、そのサムネイル画像のみを表示する例を示し、（ｂ）は、各ディスクのタイトル（またはチャプター）のサムネイル画像に同一性や類似性があるものが含まれている場合には、同一性や類似性があるものを除いて表示する例を示す図である。
【図３４】隣接サムネイル表示候補の間隔が設定時間より短い場合に、隣接サムネイル表示候補の少なくとも１つを表示しないようにする例を示し、（ａ）は、判定処理前の様子を、（ｂ）は判定例１を、（ｃ）は判定例２を、それぞれ示す。
【図３５】サムネイル表示画像の表示候補判定フローを説明するための図である。
【図３６】（ａ）〜（ｅ）は、サムネイル表示画面で、タイトルやチャプターの一部を表示しないようにした場合であって、表示されているタイトルやチャプターのサムネイル画像上にカーソルが移動したときに、表示されていない一部のタイトルやチャプターのサムネイル画像が表示される表示例を示す図である。
【図３７】（ａ）・（ｂ）は、サムネイル表示画面で、タイトルやチャプターの一部を表示しないようにした場合であって、サムネイル表示画面で表示しているタイトルやチャプターのサムネイル画像上にカーソルが移動した場合に、表示していない一部のタイトルやチャプターのサムネイル画像をタイトルリスト表示する例を示す図である。
【図３８】本発明の他の実施形態に係るレコーダ装置の要部構成を表すブロック図である。
【図３９】（ａ）〜（ｄ）は、従来のサムネイルの表示例を示す図である。
【発明を実施するための形態】
【００５４】
〔実施の形態１〕
本実施の形態について図１〜図３７に基づいて説明すると以下の通りである。
【００５５】
なお、本実施の形態に係るレコーダ装置１００（再生装置）は、概略的に言えば、光ディスク（着脱型記録媒体）を装着するトレイ１５ａ〜１５ｄ（装着部）を複数装備したド
ライブ部３００を備え、複数のトレイ１５ａ〜１５ｄのそれぞれに装着された装着光ディスク（装着着脱型記録媒体）に記録されているコンテンツを示すコンテンツ情報及びそのコンテンツの属性を示す属性情報を、装着光ディスクのそれぞれから取得すると共に、取得したコンテンツ情報と属性情報とを関連付けて記憶部３４０（メモリ）に記録するコンテンツ情報取得部２４５（取得手段）を備える。さらに、レコーダ装置１００は、記憶部３４０に記録されているコンテンツ情報のうち、コンテンツ同士が互いに関連するコンテンツ情報を、属性情報に基づいて抽出する抽出部２５５（抽出手段）と、前記抽出したコンテンツ情報をコンテンツ表示部５１０に一覧表示させる画像処理部２７０（表示制御手段）と、を備える装置である。
【００５６】
また、本実施形態に係るレコーダ装置に備えられているドライブ装置は、光ディスクにデータを書き込むか、あるいは光ディスクからデータを読み出す装置として実現されているので、以下ではこれを光ディスクドライブ装置と称する。光ディスクとしては、ＢＤ（Blu-ray Disc）、ＤＶＤ（Digital Versatile Disc）、ＣＤ（Compact Disc）などが想定される。ただし、本発明はこれに限定されず、フレキシブルディスク、光磁気ディスクなど、着脱可能な記録媒体にデータを書き込むドライブ装置一般に適用することができる。
【００５７】
以下、説明の便宜のため、レコーダ装置１００の概要から説明する。
【００５８】
本発明に係るレコーダ装置１００の構成およびレコーダ装置１００の動作の概要について、以下に説明する。なお、本実施形態に係るレコーダ装置は、コンテンツを光ディスクに記録する記録機能だけでなく、記録媒体に記録されているコンテンツおよび外部より取得したコンテンツを再生する再生機能を有するレコーダ装置である。
【００５９】
＜レコーダ装置１００の構成＞
本実施形態に係るレコーダ装置の構成について、図２を参照しつつ以下に説明する。図２は、レコーダ装置１００の要部構成を示すブロック図である。
【００６０】
図２に示すように、レコーダ装置１００は、レコーダ装置１００に入力されるコンテンツの再生または記録（録画）全般を実行するバックエンド部２００、ならびに、装填されている光ディスクからのデータの読み出し、および装填されている光ディスクに対するデータの書き込み全般を実行するドライブ部３００を備えている。
【００６１】
ドライブ部３００は、従来の光ディスクドライブ装置が備えている機能に加え、以下の機能を新規な機能を有している。すなわち、（１）ユーザーにより指定された複数の光ディスクをマイディスクとして登録する登録機能、（２）マイディスクとして登録された光ディスクに対する書き込み命令がバックエンド部２００から与えられたとき、その光ディスクにデータを書き込むと共に、ドライブ部３００内に設けられたメモリにデータを書き込む書き込み機能、（３）マイディスクに対する読み出し命令がバックエンド部２００から与えられたときに、その光ディスクからデータを読み出す代わりに、上記メモリからデータを読み出す読み出し機能、および、（４）マイディスクとして登録された光ディスクに書き込む代わりに上記メモリに書き込まれたデータをその光ディスクに書き込み、上記メモリと上記光ディスクとに記録されているデータを同期させる同期機能を有している。そして、バックエンド部２００は、これらの新規な機能を利用して、コンテンツの録画、再生、および編集を行う。以下、このようなバックエンド部２００およびドライブ部３００の構成例について、以下に順に説明する。
【００６２】
バックエンド部２００は、図２に示すように、チューナー部２１０、エンコーダ部２２０、ストリーム処理部２３０、バックエンド制御部２４０、デコーダ部２６０、画像処理部２７０、バッファ部２５０、記憶部２８０およびインターフェース部２９０を備えてい
る。また、図２に示すように、ストリーム処理部２３０、バックエンド制御部２４０、デコーダ部２６０、画像処理部２７０、バッファ部２５０、記憶部２８０およびインターフェース部２９０は、バスラインを介して互いに接続されている。
【００６３】
ドライブ部３００は、図２に示すように、インターフェース部３１０、ドライブ制御部３２０、ディスクドライブ部３３０および記憶部３４０を備えている。また、図２に示すように、インターフェース部３１０、ドライブ制御部３２０、ディスクドライブ部３３０および記憶部３４０は、バスラインを介して互いに接続されている。
【００６４】
本明細書等では、記憶部３４０における各領域に対して対応付けられた光ディスク、すなわち自身の有するメディアＩＤが記憶部３４０に記録されている光ディスクを「マイディスク」と称する。
【００６５】
バックエンド部２００およびドライブ部３００の備える各部材について、以下に説明する。
【００６６】
（チューナー部２１０、エンコーダ部２２０）
チューナー部２１０は、アンテナ部において受信したデジタル放送波（例えば、ＢＳデジタル放送、ＣＳデジタル放送、地上波デジタル放送）から、映像データ、音声データなどが多重化されているストリーム（Transport Stream：ＴＳ）を抽出する。
【００６７】
エンコーダ部２２０は、アンテナ部において受信したアナログ放送、または、外部から入力された映像／音声信号をＭＰＥＧ２−ＴＳ形式またはＭＰＥＧ２−ＰＳ形式にエンコードする。
【００６８】
（ストリーム処理部２３０、バッファ部２５０）
ストリーム処理部２３０は、抽出されたストリームまたはエンコードされたストリームに多重化されている映像データ、音声データなどの個々のデータを分離、抽出すると共に、同じパケット識別子（ＰＩＤ）が付与されているパケット（ＴＳ）のペイロード部を繋ぎ合わせることにより、コンテンツデータ（ＰＥＳパケット）を復元する。また、不図示の通信部によりネットワークを介して入力されるコンテンツデータもストリーム処理部２３０において処理される。
【００６９】
なお、ストリーム処理部２３０において処理されたコンテンツデータは、一時的にバッファ部２５０に格納される。バッファ部２５０は、表示装置またはドライブ部３００に対して出力するコンテンツデータ（映像データ、音声データなど）を一時的に記憶するメモリである。バッファ部２５０は、揮発メモリを用いることが一般的であるが、不揮発性メモリを用いても良い。
【００７０】
（バックエンド制御部２４０）
バックエンド制御部２４０は、レコーダ装置１００におけるコンテンツデータの記録および再生全般を制御する。
【００７１】
ストリーム処理部２３０において復元したコンテンツデータを、ドライブ部３００に装填されている光ディスクに対して記録する場合、バックエンド制御部２４０は、光ディスクに書き込むための書き込み命令をインターフェース部２９０を介してドライブ制御部３２０に出力すると共に、書き込み対象とするコンテンツデータをバッファ部２５０から読み出してインターフェース部２９０を介してドライブ部３００に対して出力する。
【００７２】
ドライブ部３００に装填されている光ディスクに記録されているコンテンツデータを再
生する場合、バックエンド制御部２４０は、ドライブ部３００に対して、コンテンツデータを光ディスクから読み出すための読み出し命令を、インターフェース部２９０を介してドライブ制御部３２０に出力する。このとき、光ディスクから読み出されたコンテンツデータは、バッファ部２５０に一時的に格納される。
【００７３】
また、バックエンド制御部２４０は、バッファ部２５０に格納されているコンテンツデータを表示装置に対して出力する場合には、バッファ部２５０から読み出したコンテンツデータをデコードするようデコーダ部２６０を制御する。
【００７４】
（デコーダ部２６０）
デコーダ部２６０は、バックエンド制御部２４０からの指示を受けて、バッファ部２５０に格納されているコンテンツデータのうち、バックエンド部２００内において生成されるクロック（System Time Clock：ＳＴＣ）の値に一致するタイムスタンプ（ＰＴＳ）が
付与されているコンテンツデータを読み出す。そして読み出したコンテンツデータをデコードし、画像処理部２７０に出力する。
【００７５】
（画像処理部２７０）
画像処理部２７０は、フレームレート変換などのような動画像データの表示性能を向上させるため、画素の補間や色調整などの高品質化処理を実行し、高品質化処理を施した動画像データを表示装置（図示しない）に対して出力する。すなわち、画像処理部２７０では、デコーダ部２６０においてデコード（復号）されたフレーム画像から表示装置において実際に表示する際に用いるフレーム画像を生成する。
【００７６】
なお、表示装置に表示する画像に付加情報（例えば、字幕、タイトルリスト、メニュー情報、アイコン等）を重畳する場合には、画像処理部２７０において、高品質化処理を施した動画像データに対して必要な付加情報を重畳する。
【００７７】
（記憶部２８０）
記憶部２８０には、バックエンド制御部２４０を動作させるためのプログラム、および、バックエンド制御部２４０が参照する各種データが格納されている。バックエンド制御部２４０により参照されるデータとしては、予約情報およびタイトル管理情報などが挙げられる。予約情報およびタイトル管理情報の詳細については以下に詳述するため、ここではその説明を省略する。なお、記憶部２８０は、電源をオフにしても記録内容の消去されない不揮発性メモリであることが好ましい。
【００７８】
（インターフェース部２９０、３１０）
インターフェース部２９０は、入力されたデータをインターフェース部３１０を介してドライブ部３００に対して出力する。インターフェース部２９０としては、ＳＡＴＡ（Serial AT attachment）などを挙げることができる。なお、ＡＴＡ（AT attachment）は、
転送方式がシリアルのＡＴＡであるＳＡＴＡに限定されるものではなく、転送方式がパラレルのＡＴＡであるＰＡＴＡ（Parallel AT attachment）を用いても良い。
【００７９】
インターフェース部３１０は、入力されたデータをインターフェース部２９０を介してバックエンド制御部２４０に対して出力する。インターフェース部３１０も、インターフェース部２９０と同様に、ＳＡＴＡなどとすることができるが、インターフェース部２９０とインターフェース部３１０とは同一規格のインターフェースであることが好ましい。
【００８０】
なお、本実施形態では、インターフェース部２９０、３１０がＳＡＴＡである場合を例に挙げて説明する。
【００８１】
（ドライブ制御部３２０）
ドライブ制御部３２０は、ディスクドライブ部３３０に装填されている光ディスクからのデータの読み出し、および光ディスクへのデータの書き込みを制御すると共に、記憶部３４０からのデータの読み出し、および記憶部３４０へのデータの書き込みを制御する。
【００８２】
ドライブ制御部３２０では、インターフェース部３１０を介して入力されるバックエンド制御部２４０からの命令（光ディスクからのデータ読み出し命令、または光ディスクへのデータ書き込み命令）を、記憶部３４０からのデータ読み出し命令、または記憶部３４０へのデータ書き込み命令に読み換える。しかし、バックエンド制御部２４０からの命令が、記憶部３４０に記憶されていないデータに対する読み出し命令である場合には、ドライブ制御部３２０はバックエンド制御部２４０からの命令を読み換えることなく、装填されている光ディスクからデータを読み出す。
【００８３】
インターフェース部２９０、３１０がＡＴＡインターフェースである場合、バックエンド制御部２４０からの書き込み命令および読み出し命令は、ＡＴＡコマンドとなる。また、本実施形態では、所定の領域に対するデータの書き込み命令を実現するために、記憶部３４０におけるいずれの領域（後述するマイディスク）に対してデータを書き込むのかを表す情報（書き込み対象領域情報）をＡＴＡコマンドに含めてドライブ制御部３２０に出力するようにすることが好ましい。もちろん、書き込み対象領域情報を含めたＡＴＡコマンドを用いる以外にも、書き込み対象領域情報を示すＡＴＡコマンドを出力して記憶部３４０の記録対象領域（対象マイディスク）を指定した後に、書き込み命令および書き込み対象データを表すＡＴＡコマンドをドライブ制御部３２０に出力するようにしても良い。なお、これは書き込み命令に限るものではなく、読み出し命令についても同様である。
【００８４】
（ディスクドライブ部３３０）
ディスクドライブ部３３０は、ドライブ制御部３２０からの指示に基づいて動作し、装填されている光ディスクからのデータの読み出し、または光ディスクに対するデータの書き込みを実行する。
【００８５】
ディスクドライブ部３３０は、装填されている光ディスクからデータを読み出したり、光ディスク対してデータを書き込んだりするための光ピックアップ部などを備えている。
【００８６】
（記憶部３４０）
記憶部３４０は、レコーダ装置１００において光ディスクに対して記録するコンテンツデータなどのデータを記憶するデータメモリである。記憶部３４０におけるコンテンツデータの記録については、下記に詳述するため、ここではその説明を省略する。
【００８７】
なお、記憶部３４０は、光ディスクよりもデータアクセス速度が速いものであれば特に限定されるものではないが、電源をオフにしても記録内容の消去されない不揮発性メモリであることが好ましい。より具体的にはフラッシュメモリを用いることが好ましい。
【００８８】
（レコーダ装置１００の処理動作）
次に、レコーダ装置１００の再生動作、録画動作、ダビング動作などについて説明するが、これらのレコーダ装置１００における各動作の説明に先立って、レコーダ装置１００における事前設定について、図３（ａ）および（ｂ）および図４（ａ）および（ｂ）を参照して説明する。レコーダ装置１００における事前設定は、記憶部３４０の初期化処理と、記憶部３４０に対する光ディスクの登録処理の２つに大別することができる。
【００８９】
＜記憶部３４０の初期化処理＞
記憶部３４０の初期化処理について、図３（ａ）および（ｂ）を参照しつつ説明する。
図３（ａ）および（ｂ）は、記憶部３４０の初期化処理を示す図であり、（ａ）は記憶部３４０の初期化の際の表示装置における表示の一例を示す図であり、（ｂ）は初期化処理後の記憶部３４０を模式的に示す図である。
【００９０】
記憶部３４０の初期化処理とは、記憶部３４０における記憶領域を、ユーザーの所望する数のパーティションに仮想的に分割する処理である。なお、記憶部３４０の初期化処理は、記憶部３４０において記憶領域が仮想的に分割されていない場合にのみ実行される処理であるため、既に記憶部３４０における初期化処理が行われている場合には初期化処理は実行されない。
【００９１】
初期化処理は、操作入力部を介したユーザーからの初期化処理の実行指示を受けることにより実行される。すなわち、バックエンド制御部２４０がユーザーからの初期化処理実行指示を受けると、バックエンド制御部２４０はドライブ制御部３２０に対して、記憶部３４０の記憶領域をユーザーの指定する数に仮想的に分割するように指示する。バックエンド制御部２４０からの指示を受けたドライブ制御部３２０は、記憶部３４０を指定された数の領域（パーティション）に仮想的に分割する。記憶部３４０において分割される領域の数は、登録することができるマイディスクの枚数と一致する。このとき、表示装置には、図３（ａ）に示すような画像を表示することが好ましい。
【００９２】
なお、記憶部３４０において仮想的に分割される領域の数は、例えば「ｎ個（枚）」などのようにユーザーにより明示的に指示された数であっても良いし、ユーザーの所望する録画画質に応じて設定される数であっても良い。
【００９３】
図３（ｂ）は、初期化処理後の記憶部３４０を示している。図３（ｂ）に示すように、記憶部３４０は、ユーザーの所望するｎ個の領域（領域１〜領域ｎ）に仮想的に分割されている。また、領域１〜ｎ以外にも記憶部３４０には、領域１〜領域ｎを管理する管理情報の記録されている管理領域が設けられている。
【００９４】
管理領域は、図３（ｂ）に示すように、領域１〜領域ｎを管理するマイディスク管理領域と、マイディスク管理領域を管理するメモリ管理領域と、に分けることができる。
【００９５】
マイディスク管理領域には、領域１〜領域ｎの各領域を管理する管理情報が記録されている。図３（ｂ）では、便宜上、領域１を管理する管理情報の記録されている領域を「エントリ１」と称し、以下同様に領域２〜ｎを管理する管理情報の記録されている領域をエントリ２〜ｎと称する。
【００９６】
領域１を管理するエントリ１には、エントリ番号、割り当てフラグ、メディアＩＤ情報、割り当てエリア情報、メディアキー情報およびマップ情報が記録されている。これらの各情報について以下に説明する。
【００９７】
「エントリ番号」は、いずれの領域を管理するのかを示す情報である。例えば、エントリ１は、領域１を管理する管理情報であるため、エントリ番号としては「１」を示す情報が記録されている。
【００９８】
「割り当てフラグ」は、マイディスクが対応付けられている領域であるか否かを示すフラグである。初期化処理直後の状態では、マイディスクの対応付けは行われていないため、割り当てが行われていないことを示す情報（ここでは、「０」）が記録されている。
【００９９】
「メディアＩＤ」は、光ディスクのメディアＩＤを示す情報である。初期化処理段階では、メディアＩＤの情報は記録されていない。メディアＩＤの情報の記録については、後
述の光ディスクの登録処理において説明する。
【０１００】
「割り当てエリア情報」は、各領域として利用することができる記憶部３４０の記録領域を表す情報である。割り当てエリア情報の具体例としては、例えば、各領域の開始アドレスおよび終了アドレスを挙げることができる。また、終了アドレスの代わりに、各領域の記録容量が記録されていても良い。
【０１０１】
「メディアキー情報」は、データを光ディスクに対して記録するときの著作権保護に用いられる暗号化を実行するためのキー情報である。メディアキー情報としては、例えば、ＭＫＢ（Media Key Block）を挙げることができる。
【０１０２】
「マップ情報」は、光ディスクに記録されたコンテンツのそれぞれについて、当該コンテンツが記録される光ディスクの領域を示すアドレスである仮想アドレスと、当該コンテンツが記録されている記憶部３４０上の領域を示すアドレスである物理アドレスとの対応付けを示す情報である。マップ情報として記録されているマップテーブルの詳細については、下記で詳述するため、ここでは説明を省略する。
【０１０３】
また、メモリ管理領域には、図３（ｂ）に示すように、「エントリ数情報」および「割り当てエリア情報」が記録されている。「エントリ数」は、記憶部３４０において仮想的に分割されている領域の数を示す情報である。「割り当てエリア情報」は、記憶部３４０においてマイディスク管理領域として利用されている領域を表す情報である。
【０１０４】
なお、記憶部３４０を領域１〜領域ｎに仮想的に分割した時に生じる余りの領域を予備領域として活用するようにしても良い。
【０１０５】
＜光ディスクの登録処理＞
次に、記憶部３４０に対する光ディスクの登録処理について、図４（ａ）および（ｂ）を参照しつつ説明する。図４（ａ）および（ｂ）は、光ディスクの登録処理を示す図であり、（ａ）は光ディスクの登録処理の際の表示装置における表示の一例を示した図であり、（ｂ）は光ディスクの登録処理後の記憶部３４０を模式的に示した図である。
【０１０６】
光ディスクの登録処理とは、記憶部３４０において仮想的に分割されている各領域を管理するエントリに対して、光ディスクのメディアＩＤを記録する処理である。
【０１０７】
光ディスクがドライブ部３００に装填されると、ドライブ制御部３２０は、ディスクドライブ部３３０に対して、装填された光ディスクから当該光ディスクのメディアＩＤを読み出すように指示する。ディスクドライブ部３３０が光ディスクからメディアＩＤを読み出すと、ドライブ制御部３２０は、記憶部３４０において読み出したメディアＩＤがマイディスク管理領域におけるエントリに既に記録されているメディアＩＤであるか否かを判定する。
【０１０８】
読み出したメディアＩＤがマイディスク管理領域におけるエントリのいずれにも記録されていない場合、ドライブ制御部３２０は、マイディスク管理領域におけるエントリのうち、割り当てフラグが光ディスクの割り当てが行われていないことを示す「０」であるエントリに、読み出したメディアＩＤを記録する。これによって、エントリにおいてメディアＩＤ情報が記録される。なお、メディアＩＤ情報の記録されたエントリにおける割り当てフラグは、メディアＩＤ情報が記録された時点で、割り当てが行われていることを示す「１」に変更される。また、メディアキー情報などの光ディスク固有の情報についても、この時点でメディアＩＤ情報を記録したエントリに対して記録される。
【０１０９】
なお、上述した光ディスクの登録処理は、読み出したメディアＩＤが割り当てフラグが「０」であるエントリに自動的に記録される場合を説明しているが、実際にはレコーダ装置１００が、当該メディアＩＤをエントリに記録するか否かをユーザーに問い合わせることが好ましい。この場合、ドライブ制御部３２０は、レコーダ装置１００にメディアＩＤをエントリに記録するとするユーザーからの指示を受けてメディアＩＤを記録する。
【０１１０】
また、割り当てフラグが「０」であるエントリが複数存在する場合には、いずれのエントリに対してメディアＩＤを記録するのかをユーザーが選択できるようにしても良い。この場合、ドライブ制御部３２０は、ユーザーにより指定されたエントリに対してメディアＩＤを記録する。
【０１１１】
なお、メディアＩＤをエントリに記録する際には、表示装置に図４（ａ）に示すような画像を表示するようにすることが好ましい。
【０１１２】
図４（ｂ）は、メディアＩＤ「ａａａ」を有する光ディスクをエントリ１に記録した場合における光ディスクの登録後の記憶部３４０の状態を示している。
【０１１３】
光ディスクのメディアＩＤをエントリ１に記録した場合、図４（ｂ）に示すように、光ディスクはエントリ１により管理される領域１に対して対応付けられることになる。
【０１１４】
本明細書等では、記憶部３４０における各領域に対して対応付けられた光ディスク、すなわち自身の有するメディアＩＤが記憶部３４０に記録されている光ディスクを「マイディスク」と称する。また、マイディスクを識別するために、ここでは、領域１に対応付けられたマイディスクを「ディスク１」と称する。以下同様に、領域２〜ｎに対応付けられたマイディスクを「ディスク２〜ｎ」と称する。
【０１１５】
＜コンテンツの予約録画動作＞
上述した事前設定の完了しているレコーダ装置１００におけるコンテンツ録画動作、コンテンツ再生動作、コンテンツ編集動作、およびコンテンツコピー動作について、以下に説明する。
【０１１６】
レコーダ装置１００におけるコンテンツ録画動作について、図５（ａ）〜（ｃ）〜図１４（ａ）〜（ｃ）を参照して以下に説明する。なお、ここでは、コンテンツ録画動作として、予約録画処理を例に挙げて説明する。
【０１１７】
レコーダ装置１００における予約録画処理は、予約登録処理と録画処理との２つに大別することができる。また、録画処理は、マイディスクが装填されている状態での録画処理と、マイディスクが装填されていない状態での録画処理の２つにさらに分けることができる。予約録画処理におけるこれらの処理それぞれについて以下に説明する。
【０１１８】
（予約登録処理）
まず、レコーダ装置１００における予約登録処理について、図５（ａ）〜（ｃ）を参照しつつ以下に説明する。図５（ａ）〜（ｃ）は、レコーダ装置１００における予約登録処理を示す図であり、（ａ）は予約登録処理後の記憶部２８０の状態を模式的に示した図であり、（ｂ）は予約登録処理後の記憶部３４０およびマイディスク１の状態を模式的に示した図であり、（ｃ）は予約登録処理の際の表示装置における表示の一例を示した図である。
【０１１９】
予約登録処理とは、記憶部２８０および光ディスクに対して予約情報を登録する処理である。予約登録処理については、記憶部３４０の領域１に対応付けられたディスク１を装
填している場合を例に挙げて説明する。
【０１２０】
ユーザーが操作入力部を介して予約情報を入力すると、バックエンド制御部２４０は、入力された予約情報を記憶部２８０の予約情報管理領域に記録する。このとき、記憶部２８０の予約情報管理領域に記録される予約情報は、図５（ａ）に示すように、「録画チャンネル」、「録画年月日」および「録画時間」と共に、「記録対象マイディスク」の情報を含む。以下、記録対象マイディスク情報として、装填されているマイディスクのメディアＩＤを例に挙げて説明するが、マイディスクを識別可能な情報であれば他の情報であっても良い。なお、予約情報に含まれる各情報は、ユーザーが入力するようにしても良いし、電子番組表においてユーザーが選択した番組を表す番組情報に基づいて設定するようにしても良い。
【０１２１】
バックエンド制御部２４０は、予約情報を記憶部２８０に記録すると共に、ドライブ制御部３２０に対して、ドライブ部３００に装填されているディスク１に対して予約情報を書き込むように指示する。ドライブ制御部３２０は、バックエンド制御部２４０からの指示を受けて、ユーザーの設定した予約情報を、ディスク１に記録するようにディスクドライブ部３３０に対して指示する。ディスクドライブ部３３０は、ドライブ制御部３２０からの指示を受けて、ユーザーの設定した予約情報をディスク１の所定の領域（予約情報管理領域）に記録する（図５（ｂ））。このとき、ディスク１には、既にメディアＩＤは記録されているため、メディアＩＤについては記録しなくても良い。
【０１２２】
なお、予約情報の設定の際にユーザーが記録対象マイディスクを選択することができるようにしても良い。この場合、ユーザーの選択した記録対象マイディスクがドライブ部３００に装填されていない場合には、予約情報の登録時点で、対象とするマイディスクをドライブ部３００に装填するようにユーザーに対して警告するようにすることが好ましい。
【０１２３】
図５（ｃ）には、記憶部３４０の領域１に対応付けられたディスク１を装填している場合に予約登録した際の表示装置に表示する画像の一例を示している。
【０１２４】
（マイディスクが装填されている場合の録画処理）
次に、記憶部２８０の予約情報管理領域に記録されている予約情報に含まれているメディアＩＤのマイディスクがドライブ部３００に装填されている場合の録画処理について、図６（ａ）および（ｂ）を参照しつつ以下に説明する。図６（ａ）および（ｂ）は、マイディスクが装填されている状態での録画処理を示す図であり、（ａ）は録画処理後の記憶部３４０およびマイディスク１の状態を模式的に示した図であり、（ｂ）は録画処理後の記憶部２８０の状態を模式的に示した図である。
【０１２５】
コンテンツ１の録画が完了すると、図６（ｂ）に示すように、バックエンド制御部２４０は、コンテンツ１の予約録画を示す予約情報を記憶部２８０における予約情報管理領域から消去する。また、コンテンツ１のディスク１への記録が完了すると、ドライブ制御部３２０はディスク１の予約情報管理領域に記録されている予約情報を消去するようにディスクドライブ部３３０に対して指示する。
【０１２６】
次に、コンテンツ１を記憶部３４０の領域１およびディスク１に記録した際の記憶部３４０および記憶部２８０の状態について図７（ａ）〜（ｃ）を参照しつつ以下に説明する。図７（ａ）〜（ｃ）は、コンテンツ１を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ１を記録した際のマップテーブルを示す図であり、（ｃ）はコンテンツ１を記録した際のタイトル管理テーブルを示す図である。
【０１２７】
ここで、一般的には、記憶部３４０の領域１とディスク１とのデータ容量は異なる。そのため、領域１では、物理アドレスとは別に、ディスク１におけるアドレスと一致するような仮想アドレスが割り当てられている。この仮想アドレスを用いてデータを読み出したり、書き込んだりすることにより、バックエンド部２００では、記憶部３４０に格納されているコンテンツをドライブ部３００に装填されているディスク１に記録されているかのように扱うことができる。本明細書等では、記憶部３４０の各領域に設定された仮想アドレスを用いて表される記憶領域を「仮想ディスクイメージ」と称する。
【０１２８】
図７（ａ）には、記憶部３４０の領域１における仮想ディスクイメージを示している。図７（ａ）に示すように、記憶部３４０の領域１において、物理アドレス「０ｘ０００」を先頭アドレスとしてコンテンツ１（データ容量：ＸＧＢ）が記録されている場合、仮想ディスクイメージ上では、コンテンツ１は仮想アドレス「０ｘ０５０」を先頭アドレスとして記録されている。すなわち、コンテンツ１をディスク１に対して書き込む場合、ドライブ制御部３２０は、ディスクドライブ部３３０に対して、ディスク１のアドレス「０ｘ０５０」を表すセクタからコンテンツ１を書き込むように指示する。これによって、領域１からディスク１に対するコンテンツの記録を容易に実行することができる。
【０１２９】
続いて、図７（ａ）において示した物理アドレスと仮想アドレスとの関連付けを実現するためのマップテーブルについて、図７（ｂ）を参照しつつ説明する。
【０１３０】
マップテーブルは、記憶部３４０のマイディスク管理領域におけるマップ情報として記録されている。マップテーブルは、図７（ｂ）に示すように、コンテンツ毎に、仮想ディスクイメージにおけるマップを表す仮想ディスクマップと、記憶部３４０の領域１におけるマップを表すメモリマップとが関連付けられて記録されている。また、コンテンツに対して、当該コンテンツがマイディスクに記録されているか否かを表す同期フラグが関連付けられて記録されている。
【０１３１】
なお、本明細書等において記憶部３４０のある領域に記録されているコンテンツが、当該ある領域に対応付けられたマイディスクに記録されている状態のことを「同期」と称する。同様に、記憶部３４０のある領域に記録されているコンテンツを、当該ある領域に対応付けられたマイディスクに対して記録される処理を「同期処理」と称する。
【０１３２】
マップテーブルは、コンテンツ１が領域１に記録されると共に内容が更新される。記憶部３４０の領域１が図７（ａ）に示す状態である場合のマップテーブルを、図７（ｂ）に示す。図７（ｂ）に示すように、マップテーブルは、コンテンツ１における仮想ディスクマップにおける先頭アドレスとして「０ｘ０５０」が設定され、データサイズとしてＸＧＢが設定され、メモリマップにおける先頭アドレスとして「０ｘ０００」が設定され、データサイズとしてＸＧＢが設定されている。また、領域１からディスク１への書き込みが完了すると共に、マップテーブルにおける同期フラグが、コンテンツがマイディスクに記録されていることを表す「１」となる。
【０１３３】
このようなマップテーブルを参照することにより、バックエンド制御部２４０からディスク１への書き込み命令を受けたドライブ制御部３２０は、バックエンド制御部２４０から受けたディスク１への書き込み命令を領域１への書き込み命令に変更することができる。また、ディスク１からの読み出し命令の場合も同様に、マップテーブルを参照することにより、領域１からの読み出し命令に変更することができる。
【０１３４】
なお、図７（ｂ）におけるエントリパラメータとは、エントリ番号、メディアＩＤ情報、割り当てエリア情報などを記録する領域であり、エントリデータ領域とは、メディアキ
ー情報および領域１におけるトラック情報などを記録する領域である。
【０１３５】
また、コンテンツ１が領域１に記録されると共に、記憶部２８０におけるディスク１のタイトル管理領域にタイトル管理情報として記録されているタイトル管理テーブルが更新される。コンテンツ１に関する情報が設定されるコンテンツ管理領域に記録されているタイトル管理テーブルについて、図７（ｃ）を参照して説明する。なお、タイトル管理領域は、記憶部３４０において仮想的に分割されている領域の数だけ記憶部２８０に設けられている。
【０１３６】
タイトル管理テーブルには、図７（ｃ）に示すように、各コンテンツを示すタイトル名に対して、コンテンツの再生所要時間、コンテンツの再生画質、コンテンツの残りダビング回数（最大で１０とする）および同期状態を示す情報が関連付けられて記録されている。なお、コンテンツ１を示すタイトルをタイトル１として表記する。同様に、コンテンツ２〜コンテンツｎを示すタイトルをタイトル２〜タイトルｎとして表記する。
【０１３７】
図７（ｂ）に示したマップテーブルを設定したときのタイトル管理テーブルの一例を、図７（ｃ）に示している。このとき、タイトル１における残りダビング回数は、コンテンツ１をディスク１へ記録したため、残り１０回から１回減算されて「９」回となっている。
【０１３８】
なお、上記説明では、２００８年７月より日本でのデジタルテレビ放送にて運用が開始された著作権保護のためのコピー制御方法である「ダビング１０」におけるダビング回数制御と同様な方法を例にとり説明を行ったが、もちろんこれに限定されるものではなく、例えば他の実施可能かつ運用可能なコピー制御があれば、この他のコピー制御方法に沿ったダビング回数制御を行っても良い。また、以下の説明におけるダビング回数制御においても同様である。
【０１３９】
（マイディスクが装填されていない場合の録画処理）
続いて、記憶部２８０の予約情報管理領域に記録されている予約情報に含まれているメディアＩＤのマイディスクがドライブ部３００に装填されていない場合の録画処理について、図８（ａ）および（ｂ）を参照しつつ以下に説明する。図８（ａ）および（ｂ）は、レコーダ装置１００においてマイディスクが装填されていない状態での録画処理を示す図であり、（ａ）は録画処理後の記憶部３４０の状態を模式的に示した図であり、（ｂ）は録画処理後の記憶部２８０の状態を模式的に示した図である。
【０１４０】
レコーダ装置１００において、記憶部２８０の予約情報管理領域に記録されている予約情報により録画されるコンテンツ（コンテンツ２）の録画が開始された時点でドライブ部３００にディスク１が装填されていない場合であっても、バックエンド制御部２４０はコンテンツ２をディスク１に対して記録するようにドライブ制御部３２０に対して指示する。バックエンド制御部２４０からの指示を受けたドライブ制御部３２０は、ディスクドライブ部３３０にディスク１が装填されていないため、バックエンド制御部２４０からのディスク１への書き込み命令を記憶部３４０の領域１への書き込み命令に変換し、コンテンツ２を領域１に記録する。このとき、ディスク１はドライブ部３００に装填されていないため、ディスク１に対してコンテンツ２を記録する処理は実行されない。
【０１４１】
コンテンツ２の録画が終了すると、図８（ｂ）に示すように、バックエンド制御部２４０は記憶部２８０における予約情報管理領域からコンテンツ２の予約録画を示す予約情報を消去する。
【０１４２】
次に、コンテンツ２を記憶部３４０の領域１に記録した際の記憶部３４０および記憶部
２８０の状態について図９（ａ）〜（ｃ）を参照しつつ以下に説明する。図９（ａ）〜（ｃ）は、コンテンツ２を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を記録した際のマップテーブルを示す図であり、（ｃ）はコンテンツ２を記録した際のタイトル管理テーブルを示す図である。
【０１４３】
図９（ａ）に示すように、記憶部３４０の領域１における物理アドレス「０ｘ０００」を先頭アドレスとしてコンテンツ１（データ容量：ＸＧＢ）が記録されているため、コンテンツ２（データ容量：ＸＧＢ）は、記憶部３４０の領域１における物理アドレス「０ｘ２００」を先頭アドレスとしてコンテンツ１に続けて記録される。このとき、コンテンツ２は、仮想ディスクイメージ上でも、仮想アドレス「０ｘ２５０」を先頭アドレスとしてコンテンツ１に続けて記録される。ディスク１はドライブ部３００に装填されていないため、当然ながらコンテンツ２はディスク１に対して記録されていない。
【０１４４】
コンテンツ２が領域１に記録されると共に、記憶部３４０のエントリ１におけるマップ情報に記録されているマップテーブルも更新される。記憶部３４０の領域１が図９（ａ）に示す状態のマップテーブルを、図９（ｂ）に示す。図９（ｂ）に示すように、図７（ｂ）に示したマップテーブルに加えて、コンテンツ２における仮想ディスクマップにおける先頭アドレスとして「０ｘ２５０」が設定され、データサイズとしてＸＧＢが設定され、メモリマップにおける先頭アドレスとして「０ｘ２００」が設定され、データサイズとしてＸＧＢが設定される。このとき、領域１からディスク１への書き込みは実行されないため、マップテーブルにおけるコンテンツ２の同期フラグは、コンテンツがマイディスクに記録されていないことを表す「０」となっている。
【０１４５】
また、図９（ｃ）には、図９（ｂ）に示したマップテーブルが設定されたときのタイトル管理テーブルの一例を示している。図９（ｃ）に示すように、タイトル管理テーブルでは、図７（ｃ）に示したコンテンツ１を示すタイトル１のタイトル管理情報に加えて、コンテンツ２を示すタイトル２のタイトル管理情報が加えられる。このとき、タイトル２は、ディスク１に対して記録されていないため、タイトル２における残りダビング回数は「１０」回のままであり、同期状態は未同期を示す情報である。
【０１４６】
（コンテンツの同期処理）
次に、記憶部３４０に記録されたコンテンツであってマイディスクに対して記録されていないコンテンツを、マイディスクに対して記録する同期処理について、図１０〜図１２（ａ）〜（ｃ）を参照して以下に説明する。
【０１４７】
ディスク１がドライブ部３００に装填されると、ドライブ制御部３２０は、エントリ１のマップテーブルを参照して、同期フラグが「０」であるコンテンツがあるか否かを判定する。例えば、同期フラグが「０」であるコンテンツ２が存在する場合、ドライブ制御部３２０は、記憶部３４０の領域１に記録されているコンテンツ２を、ディスク１に記録する（書き出す）ようにディスクドライブ部３３０に対して指示する。ディスクドライブ部３３０は、ドライブ制御部３２０からの指示を受けて記憶部３４０の領域１に記録されているコンテンツ２をディスク１に書き出す。これによって、記憶部３４０の領域１に記録されているコンテンツ１およびコンテンツ２がいずれもディスク１にも記録されている状態になる（図１０）。すなわち、コンテンツ２は同期状態となる。
【０１４８】
このようなコンテンツの同期処理を行うタイミングは、ディスク１がドライブ部３００に装填された直後でも良いし、装填から取り出されるまでの間であればいつ行うようにしても良い。例えば、レコーダ装置１００、または、少なくともドライブ部３００が使用さ
れていないアイドル状態のあるタイミングで同期処理を行うようにしても良い。また、レコーダ装置１００、または、少なくともドライブ部３００が当面アイドル状態にならない事が判明している場合には、コンテンツの同期処理を今回は行わず、次回、ディスク１がドライブ部３００に装填された時に行うようにしても良い。例えば、ディスク１がドライブ部３００に装填された時に、レコーダ装置１００、または、少なくともドライブ部３００が、予約録画のために待機状態で直ぐに予約録画を開始する場合など、同期処理を行うために必要な時間が確保できない事が判明している場合は、コンテンツの同期処理を少なくとも直ちには行わないか、または、最悪レコーダ装置１００が今回の起動している間は同期処理を行わず、次回レコーダ装置１００が起動してディスク１が装填されている時に行うようにしても良い。
【０１４９】
ドライブ制御部３２０は、ディスク１に対するコンテンツ２の書き出しが完了すると、バックエンド部２００に対してコンテンツ２の同期処理が完了したことを通知する。バックエンド制御部２４０は、この通知を受けて、記憶部２８０におけるディスク１のタイトル管理領域に記録されているタイトル管理テーブルを更新する。
【０１５０】
また、ドライブ制御部３２０は、ディスク１に対するコンテンツ２の書き出しが完了すると、ディスクドライブ部３３０に対して、ディスク１に記録されているコンテンツ２を予約録画するための予約情報の消去を指示する。指示を受けたディスクドライブ部３３０は、ディスク１の予約情報管理領域に記録されているコンテンツ２を予約録画するための予約情報を削除する（図１０）。なお、図１０は、コンテンツの同期処理後の記憶部３４０およびディスク１の状態を示す図である。
【０１５１】
次に、記憶部３４０の領域１に記録されているコンテンツ２をディスク１に書き出した際の記憶部３４０および記憶部２８０の状態について図１１（ａ）〜（ｃ）を参照しつつ以下に説明する。図１１（ａ）〜（ｃ）は、コンテンツ２を同期処理した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ２を同期処理させた際のマップテーブルを示す図であり、（ｃ）はコンテンツ２を同期処理させた際のタイトル管理テーブルを示す図である。
【０１５２】
図１１（ａ）に示すように、仮想ディスクイメージにおいて、コンテンツ２は、仮想アドレス「０ｘ２５０」を先頭アドレスとして記録されている。このとき、ディスク１では、「０ｘ２５０」を先頭アドレスとしてコンテンツ２を記録することができるため、コンテンツ２は、ディスク１のアドレス「０ｘ２５０」を先頭アドレスとしてディスク１に記録される。
【０１５３】
コンテンツ２の同期処理が完了すると、図１１（ｂ）に示すように、エントリ１のマップ情報に記録されているマップテーブルの同期フラグが、コンテンツがマイディスクに記録されていることを表す「１」となる。また、図１１（ｃ）に示すように、記憶部２８０に記録されているディスク１のタイトル管理テーブルにおいて、タイトル２における残りダビング回数が１減算されて「９」回となると共に、同期状態が同期を示す情報に変更される。
【０１５４】
次に、ディスク１において「０ｘ２５０」を先頭アドレスとするコンテンツ（コンテンツ３）が既に記録されている場合のコンテンツ２の同期処理について、図１２（ａ）〜（ｄ）を参照して以下に説明する。
【０１５５】
図１２（ａ）〜（ｄ）は、コンテンツ２を同期処理した際の記憶部３４０および記憶部２８０の状態を示す図であり、（ａ）は仮想ディスクイメージにおけるコンテンツ２の先
頭アドレスを先頭アドレスとするコンテンツ３がディスク１に記録されている状態を示す図であり、（ｂ）はコンテンツ２をコンテンツ３に続くように仮想ディスクイメージを変更した状態を示す図であり、（ｃ）はコンテンツ２を同期処理させた際のマップテーブルを示す図であり、（ｄ）はコンテンツ２を同期処理させた際のタイトル管理テーブルを示す図である。
【０１５６】
図１２（ａ）に示すように、仮想ディスクイメージにおけるコンテンツ２の先頭アドレスである「０ｘ２５０」を先頭アドレスとするコンテンツ３が既にディスク１に記録されている場合、ディスク１のアドレス「０ｘ２５０」を先頭アドレスとしてコンテンツ２をディスク１に記録することができない。
【０１５７】
このとき、ドライブ制御部３２０は、記憶部３４０における仮想ディスクイメージを変更することにより、コンテンツ２をディスク１に記録できるようにする。すなわち、ドライブ制御部３２０は、ディスク１においてアドレス「０ｘ２５０」を先頭アドレスとして記録されているコンテンツ３を、仮想ディスクイメージにおいても仮想アドレス「０ｘ２５０」を先頭アドレスとして記録されているように設定し、コンテンツ２をコンテンツ３に続くように仮想アドレス「０ｘ４００」を先頭アドレスとして記録されているように設定する。すなわち、ドライブ制御部３２０は、領域１における仮想ディスクイメージを変更する。これによって、変更された仮想ディスクイメージでは、コンテンツ２の先頭アドレスが「０ｘ４００」となるため、「０ｘ４００」を先頭アドレスとしてディスク１にコンテンツ２を記録することができる。
【０１５８】
このとき、領域１のマップテーブルについても、図１２（ｃ）に示すように変更される。すなわち、仮想ディスクマップにおけるコンテンツ２の先頭アドレスは、「０ｘ４００」となり、コンテンツがマイディスクに記録されていることを表す「１」となる。また、仮想ディスクマップにおいて、先頭アドレスが「０ｘ２５０」であり、コンテンツ容量がＹＧＢのコンテンツ３が登録される。コンテンツ３は、領域１には記録されていないコンテンツであるため、メモリマップには先頭アドレスが記録されず、同期フラグについても記録されない。
【０１５９】
同様に、図１２（ｄ）に示すように、記憶部２８０におけるディスク１のタイトル管理テーブルにおいてもタイトル２に対応付けられた同期状態が同期を表す情報に変更され、コンテンツ３を示すタイトル３に対応付けられた情報（再生時間および再生画質）が登録される。このとき、コンテンツ３は、ディスク１にのみ記録されているコンテンツであり、ダビングすることはできないため、タイトル３における残りダビング回数は表示されない。
【０１６０】
（領域１に記録されているコンテンツの削除）
記憶部３４０における領域１の空き容量が少なくなった場合には、領域１に記録されているコンテンツを削除するようにすれば良い。領域１に記録されているコンテンツの削除は、ユーザーの指示により実行されるようにしても良いし、領域１における空き容量が所定値以下となった場合に自動的に実行されるようにしても良い。
【０１６１】
図１３は、領域１に記録されていたコンテンツ１およびコンテンツ２を削除した後に、新たにコンテンツ４を録画したときの記憶部３４０およびディスク１の状態を示す図である。なお、図１３は、マイディスクが装填されている状態での録画のため、コンテンツ４はディスク１に対しても記録されている。
【０１６２】
図１３に示す状態、すなわちコンテンツ１およびコンテンツ２を領域１から削除した後に領域１にコンテンツ４を記録したときの記憶部３４０および記憶部２８０の状態につい
て図１４（ａ）〜（ｃ）を参照しつつ以下に説明する。図１４（ａ）〜（ｃ）は、コンテンツ４を録画した際の記憶部３４０および記憶部２８０の状態を示す図であり、（ａ）は記憶部３４０の領域１におけるコンテンツの記録状態に対応するディスク１の記録状態の対応関係を示す図であり、（ｂ）はコンテンツ４を記録した際のマップテーブルを示す図であり、（ｃ）はコンテンツ４を記録した際のタイトル管理テーブルを示す図である。
【０１６３】
ドライブ制御部３２０は、領域１からコンテンツ１およびコンテンツ２が削除されると、記憶部３４０のエントリ１に記録されているマップテーブルにおけるメモリマップからコンテンツ１およびコンテンツ２に関する情報を削除する。また、ドライブ制御部３２０は、コンテンツ１およびコンテンツ２に関連付けられた同期フラグについても削除する。ただし、図１４（ａ）に示すように、コンテンツ１およびコンテンツ２は、仮想ディスクイメージ上においては消去されることなく残されている。すなわち、図１４（ｂ）に示すように、領域１からコンテンツ１およびコンテンツ２を削除したとしても、マップテーブルにおける仮想ディスクマップからはコンテンツ１およびコンテンツ２の情報は削除されることなく残されることになる。
【０１６４】
したがって、ドライブ制御部３２０は、仮想ディスクイメージにおいて既に記録されているコンテンツ２に続くように、すなわち仮想アドレス「０ｘ６５０」を先頭アドレスとしてコンテンツ４を記録するようにディスクドライブ部３３０に指示する。
【０１６５】
また、図１４（ｃ）に示すように、領域１からコンテンツ１およびコンテンツ２が削除されることに伴って、記憶部２８０におけるタイトル管理テーブルも変更される。領域１に記録されていたコンテンツ１およびコンテンツ２が削除されると、バックエンド制御部２４０は、記憶部２８０におけるタイトル管理テーブルにおけるコンテンツ１およびコンテンツ２の残りダビング回数および同期状態を示す情報を削除する。次に、コンテンツ４が領域１に記録されると、バックエンド制御部２４０は、コンテンツ４を示すタイトル（タイトル４）に関する情報をタイトル管理テーブルに登録する。
【０１６６】
＜コンテンツ再生動作＞
次に、レコーダ装置１００におけるコンテンツの再生動作について、図１５〜図１８を参照しつつ以下に説明する。
【０１６７】
コンテンツの再生処理は、操作入力部を介したユーザーからのコンテンツ再生指示を受けて実行される処理である。例えば、表示装置に表示されているタイトルの再生をユーザーが選択すると、バックエンド制御部２４０は、選択されたタイトルにより表されるコンテンツの再生指示を受けたとして当該コンテンツの再生処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１６８】
なお、レコーダ装置１００におけるコンテンツの再生動作は、マイディスクが装填されている場合の再生処理と、マイディスクが装填されていない場合の再生処理とに大別することができる。各再生処理について以下に説明する。
【０１６９】
（マイディスクが装填されている場合の再生処理）
マイディスクが装填されている場合の再生処理について、図１５および図１６を参照して以下に説明する。図１５は、コンテンツ１〜３を記録したディスク１が装填されている場合の記憶部３４０および記憶部２８０の状態を示す図である。図１６は、マイディスクが装填されている場合において、再生時にコンテンツが読み出される媒体を模式的に示し
た図である。
【０１７０】
図１５に示すように、ドライブ部３００には、コンテンツ１〜３の記録されているディスク１が装填されており、記憶部３４０の領域１にコンテンツ１およびコンテンツ２が記録されている。そのため、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１５では、タイトル管理テーブルの詳細については省略して示している。
【０１７１】
マイディスクが装填されている場合の再生処理としては、まず、ディスク１および領域１のいずれにも記録されているコンテンツ１を再生する場合の再生処理について説明した後、ディスク１に記録されているが、領域１には記録されていないコンテンツ３を再生する場合の再生処理について説明する。
【０１７２】
バックエンド制御部２４０は、ディスク１に記録されているコンテンツ１を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１からの読み出し命令を、マップテーブルを参照して、領域１からの読み出し命令に変換する。すなわち、ドライブ制御部３２０は、ディスク１のアドレスを、マップテーブルを参照して、領域１の物理アドレスに変換する。
【０１７３】
領域１からコンテンツ１を読み出したドライブ制御部３２０は、読み出したコンテンツ１を、インターフェース部３１０を介してバックエンド部２００に出力する。
【０１７４】
このように、読み出しの対象となるコンテンツがマイディスクにも記憶部３４０にも記録されている場合、図１６に示すように、コンテンツは記憶部３４０から読み出される。
【０１７５】
ディスク１に記録されているが、領域１には記録されていないコンテンツ３を再生する場合も同様に、バックエンド制御部２４０がディスク１に記録されているコンテンツ３を読み出す命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１からの読み出し命令にしたがって、ディスクドライブ部３３０に対してコンテンツ３を読み出すように指示する。
【０１７６】
ディスク１からコンテンツ３が読み出されると、ドライブ制御部３２０は、読み出したコンテンツ３を、インターフェース部３１０を介してバックエンド部２００に出力する。
【０１７７】
このように、読み出しの対象となるコンテンツが記憶部３４０に記録されていない場合、図１６に示すように、コンテンツはマイディスクから読み出される。
【０１７８】
（マイディスクが装填されていない場合の再生処理）
続いて、マイディスクが装填されていない場合の再生処理について、図１７および図１８を参照して以下に説明する。図１７は、ドライブ部３００に光ディスクが装填されていない場合の記憶部３４０および記憶部２８０の状態を示す図である。図１８は、マイディ
スクが装填されていない場合において、再生時にコンテンツが読み出される媒体を模式的に示した図である。
【０１７９】
図１７に示すように、記憶部３４０の領域１には、コンテンツ１およびコンテンツ２が記録されている。しかし、図１５の場合とは異なり、ドライブ部３００には、コンテンツ１〜３の記録されているディスク１が装填されていない。なお、記憶部２８０のタイトル管理領域のタイトル管理テーブルには、タイトル１〜３に関する情報が記録されている。すなわち、バックエンド部２００では、タイトル１〜３により表されるコンテンツ１〜３を認識することができる。なお、図１７では、図１５と同様に、タイトル管理テーブルの詳細については省略して示している。
【０１８０】
図１７に示すような状態の場合、バックエンド部２００において認識しているタイトル１〜３により表されるコンテンツ１〜３のうち、記憶部３４０の領域１に記録されているコンテンツ１およびコンテンツ２については再生することができるが、ディスク１にのみ記録されているコンテンツ３については再生することができない。
【０１８１】
すなわち、図１８に示すように、読み出しの対象となるコンテンツがマイディスクにも記憶部３４０にも記録されている場合には、マイディスクが装填されている場合と同様の処理により、コンテンツは記憶部３４０から読み出される。しかし、ディスク１にのみ記録されているコンテンツについては読み出すことはできない。
【０１８２】
なお、図１８に示すコンテンツ１の読み出し処理は、マイディスクが装填されている場合におけるコンテンツ１の読み出し処理と同様であるため、ここでは説明を省略する。
【０１８３】
＜コンテンツ編集動作＞
次に、レコーダ装置１００におけるコンテンツの編集動作について、図１９および図２０（ａ）および（ｂ）を参照しつつ以下に説明する。
【０１８４】
コンテンツの編集処理は、操作入力部を介したユーザーからのコンテンツ編集指示を受けて実行される処理である。例えば、表示装置に表示されているタイトルの編集をユーザーが選択すると、バックエンド制御部２４０は、選択されたタイトルにより表されるコンテンツの編集指示を受けたとして、ユーザーにより選択されたコンテンツの編集処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。すなわち、タイトル管理テーブルに登録されているタイトルは、記録されている媒体を問わず編集処理を行うことができる。
【０１８５】
レコーダ装置１００におけるコンテンツ編集動作も、コンテンツ再生処理と同様に、マイディスクが装填されている場合の編集処理と、マイディスクが装填されていない場合の編集処理とに大別することができる。各編集処理について以下に説明する。
【０１８６】
なお、コンテンツの編集処理とは、マイディスクまたは記憶部３４０に記録されているコンテンツの少なくとも一部のデータを変更する処理であり、具体的には、コンテンツにおけるシーン消去（コンテンツデータの一部変更）、コンテンツの削除およびコンテンツにおけるチャプターの追加を含む処理である。なお、ここではコンテンツにおけるシーン消去を例に挙げて説明するが、他の処理であっても同様に処理することができる。
【０１８７】
（マイディスクが装填されている場合の編集処理）
マイディスクが装填されている場合の編集処理について、図１５および図１９を参照し
て以下に説明する。図１９は、マイディスクが装填されている場合において、コンテンツが編集される媒体を模式的に示した図である。
【０１８８】
図１５に示すように、ドライブ部３００には、コンテンツ１〜３の記録されているディスク１が装填されており、記憶部３４０の領域１にコンテンツ１およびコンテンツ２が記録されている。また、記憶部２８０のタイトル管理領域のタイトル管理テーブルには、タイトル１〜３に関する情報が記録されており、バックエンド部２００では、タイトル１〜３により表されるコンテンツ１〜３を認識することができる。なお、図１５では、タイトル管理テーブルの詳細については省略して示している。
【０１８９】
マイディスクが装填されている場合の再生処理としては、まず、ディスク１および領域１のいずれにも記録されているコンテンツ１を編集する場合の処理について説明した後、ディスク１に記録されているが、領域１には記録されていないコンテンツ３を編集する場合の処理について説明する。
【０１９０】
バックエンド制御部２４０は、ディスク１に記録されているコンテンツ１のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ１が領域１に記録されているか否かを判定する。このとき、コンテンツ１は領域１に記録されているコンテンツであるため、ドライブ制御部３２０は、バックエンド制御部２４０から受けたディスク１におけるデータを変更する命令を、マップテーブルを参照して、領域１におけるデータを変更する命令に変換する。すなわち、ドライブ制御部３２０は、マップテーブルを参照して、ディスク１のアドレスを、領域１の物理アドレスに変換するため、実際には、領域１に記録されているコンテンツ１のデータが変更されることになる。
【０１９１】
このように、データを変更する対象となるコンテンツがマイディスクにも記憶部３４０にも記録されている場合、図１９に示すように、記憶部３４０に記録されているコンテンツのデータが変更されることになる。
【０１９２】
しかし、このままではディスク１に記録されているコンテンツ１と、領域１に記録されているコンテンツ１とが異なったまま（非同期状態）となってしまうため、ドライブ制御部３２０は、領域１に記録されているコンテンツ１に対して行ったデータの変更をディスク１に記録されているコンテンツ１に対しても反映させる。ディスク１に記録されているコンテンツ１に対する変更の反映は、ディスク１がドライブ部３００から取り出されるまでの間であればいつ行うようにしても良い。
【０１９３】
ディスク１に記録されているが、領域１には記録されていないコンテンツ３のデータを変更する場合も同様に、バックエンド制御部２４０がディスク１に記録されているコンテンツ３のデータを変更する命令をインターフェース部２９０を介してドライブ部３００に対して出力する。バックエンド制御部２４０からの命令を受けたドライブ制御部３２０は、マップテーブルを参照して、ディスク１に記録されているコンテンツ３が領域１に記録されているか否かを判定する。このとき、コンテンツ３は領域１に記録されていないコンテンツであるため、ドライブ制御部３２０は、バックエンド制御部２４０から受けたディスク１に記録されているコンテンツ３のデータを変更する命令にしたがって、ディスクドライブ部３３０に対してコンテンツ３のデータを変更するように指示する。
【０１９４】
（マイディスクが装填されていない場合の編集処理）
続いて、マイディスクが装填されていない場合のコンテンツの編集処理について、図１７および図２０（ａ）および（ｂ）を参照して以下に説明する。図２０（ａ）および（ｂ
）は、マイディスクが装填されていない場合において、コンテンツが編集される媒体を模式的に示した図であり、（ａ）はディスク１が装填されていないときの編集対象となる媒体を示しており、（ｂ）はディスク１が装填されたときの変更箇所のディスク１への反映を示している。
【０１９５】
図１７に示すような状態の場合、バックエンド部２００において認識しているタイトル１〜３により表されるコンテンツ１〜３のうち、記憶部３４０の領域１に記録されているコンテンツ１およびコンテンツ２についてはディスク１が装填されている場合と同様の編集処理を行うことができる。
【０１９６】
すなわち、図２０（ｂ）に示すように、他のレコーダ装置においてディスク１のコンテンツ２が変更されていた場合、ドライブ制御部３２０は、ディスク１におけるコンテンツ２の変更を領域１に記録されているコンテンツ２に対して反映させる。このとき、エントリ１に記録されているマップテーブルについても併せて更新する。
【０１９７】
＜コンテンツコピー動作＞
次に、レコーダ装置１００におけるコンテンツのコピー動作について、図２１（ａ）および（ｂ）を参照しつつ以下に説明する。ここでは、レコーダ装置１００における記憶部３４０内のメモリ内コピー動作を例に挙げて説明する。なお、メモリ内コピー動作とは、レコーダ装置１００におけるメモリ内ダビング動作と言い換えることもできる。図２１（ａ）および（ｂ）は、レコーダ装置１００におけるメモリ内コピー処理を示す図であり、（ａ）は、メモリ内コピー処理後の記憶部３４０の状態を示す図であり、（ｂ）はメモリ内コピー処理後の記憶部２８０におけるタイトル管理領域の状態を示す図である。
【０１９８】
コンテンツのメモリ内コピー処理は、操作入力部を介したユーザーからのコンテンツコピー指示を受けて実行される処理である。例えば、表示装置に表示されているタイトルからユーザーがタイトルを選択し、選択したタイトルをいずれの領域にコピーするのかを決定すると、バックエンド制御部２４０は、選択されたタイトルにより表されるコンテンツを選択された記憶部３４０における領域へコピーする指示を受けたとして当該コンテンツのメモリ内コピー処理を実行する。なお、表示装置に表示されているタイトルは、バックエンド部２００において認識されているタイトルである。バックエンド部２００において認識されているタイトルは、記憶部２８０のタイトル管理領域に記録されているタイトル管理テーブルに登録されているタイトルと言い換えることができる。
【０１９９】
記憶部３４０の領域１に記録されているコンテンツ２を記憶部３４０の領域２にコピーするユーザーからの指示を受けたバックエンド制御部２４０は、ドライブ制御部３２０に対して、領域１に記録されているコンテンツ２を領域２に記録するように指示する。バックエンド制御部２４０からの指示を受けたドライブ制御部３２０は、図２１（ａ）に示すように、コンテンツ２を領域２に記録する。このとき、ドライブ制御部３２０は、エントリ２に記録されているマップテーブルを更新する。なお、領域２におけるコンテンツ２の記録およびそれに伴うマップテーブルの更新については、録画動作において説明した処理と同様であるため、説明を省略する。
【０２００】
コンテンツ２の領域２への記録が完了すると、バックエンド制御部２４０は、記憶部２８０におけるディスク１のタイトル管理領域に記録されているタイトル管理情報におけるコンテンツ２の残りダビング回数を１減算する。また、記憶部２８０におけるディスク２のタイトル管理領域に記録されているタイトル管理情報におけるコンテンツ２の残りダビング回数を１加算する。これによって、図２１（ｂ）に示すように、ディスク１のタイトル管理領域におけるコンテンツ２の残りダビング回数は「８」となり、ディスク２のタイトル管理領域におけるコンテンツ２の残りダビング回数は「１」となる。
【０２０１】
なお、図２１（ａ）に示すように、ディスク２はドライブ部３００に装填されていないため、領域２に記録されているコンテンツ２の同期状態は、未同期を表す情報である。
【０２０２】
＜マイディスクの登録解除＞
次に、マイディスクの登録解除処理について説明する。ユーザーからのディスク１の登録解除指示を受けたドライブ制御部３２０は、記憶部３４０において記録されている、登録を解除するディスク１に対応付けられた領域を管理する管理情報を消去する。すなわち、エントリにおけるメディアＩＤ情報、メディアキー情報およびマップ情報を削除すると共に、割り当てフラグを、割り当てが行われていないことを示す「０」に変更する。また、領域にデータが記録されている場合には、記録されているデータも消去する。これによって、記憶部３４０におけるエントリは、新たなマイディスクの登録が可能な状態となる。
【０２０３】
また、ユーザーからのディスク１の登録解除指示を受けたバックエンド制御部２４０は、記憶部２８０におけるディスク１のタイトル管理領域に記録されているタイトル管理情報を削除する。これによって、バックエンド部２００において、ディスク１に記録されていたコンテンツを示すタイトルを認識することができなくなる。
【０２０４】
（マイディスクのファイルシステムの利用）
レコーダ装置１００では、マイディスクとして登録されている光ディスクへのデータの書き込みおよび光ディスクからのデータの読み出しには、マイディスクとして登録されている光ディスクから取得したファイルシステムを用いることが好ましい。
【０２０５】
ここで、光ディスクのファイルシステムを利用したデータ管理について、図２２（ａ）〜（ｃ）を参照しつつ以下に説明する。図２２（ａ）〜（ｃ）は、ファイルシステムを用いたデータ管理を示す図であり、（ａ）は記憶部２８０に記録されているファイルシステムの一例を示し、（ｂ）は領域１におけるコンテンツの記録状態に対応するディスク１の記録状態の対応関係を示し、（ｃ）はファイル毎のマップテーブルを示す図である。
【０２０６】
通常、光ディスク内には、光ディスクの種類毎に規格によって定められたファイルシステムが記録されており、そのファイルシステムによって、光ディスクに記録されている各ファイルと各ファイルの記録されているアドレスが関連づけられている。なお、ファイルシステムは、光ディスクの記録領域における先頭部分に記録されていることが多い。
【０２０７】
バックエンド部２００では、データの読み出し、あるいはデータの書き込みの対象となる光ディスクのアドレスを指定するために、光ディスクから取得したファイルシステムを参照する。ファイルシステムは、光ディスクが装填された時に、メディアＩＤなどと共に取得され、バックエンド部２００の揮発性メモリに保持される。また、予期しない電源断などに対応するために、取得したファイルシステムは、記憶部２８０にも保持している（図２２（ａ））。バックエンド部２００では、光ディスクが装填されるたびに光ディスクからファイルシステムを取得し、取得したファイルシステムと自装置に記録されているファイルシステムとを比較して、ファイルの最新の状態が維持されるようにしている。
【０２０８】
すなわち、バックエンド部２００は、マイディスクとして登録されている光ディスクから読み出したファイルシステムと、既に記憶部２８０に記録されているファイルシステム（その光ディスクから直近に読み出したファイルシステム）とを比較することにより、バックエンド部２００は光ディスクに記録されていて記憶部３４０に記録されていないコンテンツの情報（例えば、そのコンテンツの記録されている光ディスクのアドレス、そのコンテンツを示すタイトル情報など）を取得する。
【０２０９】
なお、図２２（ａ）には、ディスク１に関するファイルシステムについてのみ示しているが、記憶部２８０のファイルシステム管理領域には、マイディスクとして登録されているディスクの数だけファイルシステムが記録されている。
【０２１０】
このように、マイディスクとして登録している光ディスクのファイルシステムを記憶部２８０に記録することにより、バックエンド部２００は、光ディスクが装填されていない状態であったとしても、記憶部２８０に記録されているファイルシステムを参照して仮想ディスクイメージ上のファイルへのアクセスが可能となる。すなわち、マイディスクが装填されていない場合であっても、あたかもマイディスクが装填されているかのようにデータを扱うことができる。例えば、記憶部３４０のマップ情報において、アクセス対象とする仮想アドレスに対応する記憶部３４０のアドレスが記録されている場合には、記憶部３４０のアドレスを用いて、当該アドレスに記録されているデータを読み出すことができる。
【０２１１】
さらに、図２２（ｂ）および（ｃ）に示すように、コンテンツ１が複数の断片化されたファイルに分割されて光ディスクに記録されている場合であっても、バックエンド制御部２４０は、記憶部２８０に記録されているファイルシステムにおけるコンテンツ１の配置情報を参照することにより、コンテンツ１に対して的確にアクセスすることができる。
【０２１２】
このように、記憶部３４０に記録されているマップ情報は、本実施形態ではコンテンツごとの配置情報として示しているが、より正確には、図２２（ｃ）に示すように、領域（ファイル）ごとの配置情報を示すものである。
【０２１３】
また、マイディスクの登録解除の際には、ファイルシステム管理領域に記録されているファイルシステムについても、タイトル管理情報と併せて削除される。
【０２１４】
＜表示装置における表示例＞
最後に、レコーダ装置１００に接続された表示装置におけるコンテンツとタイトルリストに記録されている情報との表示例について、図２３を参照しつつ以下に説明する。図２３は、表示装置５００上でのコンテンツおよびタイトルリストに記録されている情報の表示を概略的に示す図である。
【０２１５】
操作入力部を介してユーザーがタイトルリストの表示をレコーダ装置１００に対して指示すると、表示装置５００では、タイトルリストおよびコンテンツが図２３に示すように表示される。
【０２１６】
すなわち、図２３に示すように、表示装置５００における表示画面は、これまで視聴していたコンテンツを引き続き表示するコンテンツ表示部５１０と、タイトルリストを表示するタイトルリスト表示部５２０との２つの画面に分割されることになる。
【０２１７】
タイトルリスト表示部５２０には、図２３に示すように、登録されているマイディスクに対応するタブが表示される。ユーザーがタイトルリストの確認を所望するマイディスクのタブを選択することにより、タイトルリスト表示部５２０には、ユーザーの選択したマイディスクのタイトルリストが表示されることになる。すなわち、記憶部２８０における各マイディスクのタイトル管理領域に記録されているタイトル管理テーブルの情報が表示される。
【０２１８】
図２３では、Ｄｉｓｃ１のタブを選択したときのタイトルリストを示している。このとき、選択しているディスクを表す情報（アイコン）を表示部５３０に表示するようにして
も良い。また、ユーザーがタイトルリスト表示部５２０に表示されている各タイトルを選択した場合には、仮選択したタイトルにより示されるコンテンツのサムネイルを表示部５３０に表示ようにしても良い。
（レコーダ装置１００の動作説明）
以上、レコーダ装置１００の構成、及びレコーダ装置１００の動作の概要を説明した。次に、図１、図２４〜図３７を参照して、本実施の形態に係るレコーダ装置１００のさらに詳細な構成、及び動作等を説明する。
【０２１９】
なお、最初に、ドライブ部３００のトレイに複数の光ディスクが装着される動作を図２４〜図２７を参照して説明する。続いて、レコーダ装置１００が実行する動作の一例を図２８を参照して説明する。その上で、レコーダ装置１００の構成を図１を参照して説明する。
＜レコーダ装置１００のトレイに複数の光ディスクが装着される動作＞
以下、図２４〜図２７を参照して、ドライブ部３００のトレイ１５ａ〜１５ｄに複数の光ディスクが装着される際の動作の概要を説明する。
【０２２０】
図２４は、ターンテーブル１２のトレイ１５ａ〜１５ｄの一部がドライブ部３００の筐体３０から突出している状態を示す概略図である。同図に示すように、ターンテーブル１２は、４枚の光ディスク２０を載置できるトレイ１５ａ〜１５ｄを備えており、トレイ１５ａ〜１５ｄの一部がドライブ部３００の筐体３０から突出する（ドライブ部３００の前方にせり出す）ように移動する。ユーザーは、筐体３０から突出したトレイ１５に光ディスク２０をセッティングできる。
【０２２１】
ターンテーブル１２は、回転軸１６を中心に回転可能であり、回転することにより、光ピックアップ９が情報を記録または再生する対象となる光ディスク２０を変更することができる。
【０２２２】
なお、光ピックアップ９は、ターンテーブル１２に装填された複数の光ディスク２０の１つである対象光ディスクに対して情報の記録、消去および再生を行う。具体的には、光ピックアップ９は、光ディスク２０に光ビームを照射して情報の記録および再生を行うものであり、対物レンズ、半導体レーザ、光検出器、コリメートレンズ、ビームスプリッタ等の部材および情報の記録再生に必要な各種の回路を備えている。光ピックアップ９は、公知のもので良いため、その詳細についての説明は省略する。
【０２２３】
スピンドルモータ１０は、光ディスク２０を光ピックアップ９に対して円周方向に回転させるものである。
【０２２４】
光ピックアップ９とスピンドルモータ１０とは一体となって図示しない位置調節部によって移動させられ、記録／再生の対象となる光ディスク２０（対象光ディスク）をローディングする。
【０２２５】
（ターンテーブル１２の詳細）
次にターンテーブル１２の動作について図２５、図２６を参照して説明する。図２５は、ターンテーブル１２の全体がドライブ部３００の筐体３０内に収納されている状態を示す概略図である。図２６は、ターンテーブル１２のトレイ１５ａにセッティングされた光ディスク２０ａが、記録再生対象になっている状態を示す概略図である。
【０２２６】
ターンテーブル１２は、図２５に示すように、ほぼ円盤状であり、その中心に回転軸１６を有している。そして、回転軸１６を囲むように４つのトレイ１５（トレイ１５ａ〜１５ｄ）が設けられている。回転軸１６には角度センサ（不図示）が内蔵されており、トレ
イ１５ａ〜１５ｄの位置は、角度センサの出力をもとに、図示しないコントローラにより管理されている。各トレイ１５は円形の凹部を含んでおり、この凹部に光ディスク２０を載置することができる。図２５は、トレイ１５ａに光ディスク２０ａがセッティングされている状態を示している。
【０２２７】
光ディスク２０をセッティングする場合には、光ディスク２０がセッティングされていないトレイ１５が筐体３０からせり出すようにターンテーブル１２が回転した後（または回転しながら）、ターンテーブル１２がドライブ部３００の筐体３０からせり出す。
【０２２８】
トレイ１５ａに光ディスク２０ａをセッティングした後、ユーザーが所定のボタンを押せば、ターンテーブル１２は筐体３０内に収納される。ターンテーブル１２の収納は、ユーザーが手動で行っても良い。
【０２２９】
そして、ディスク検知センサ１７により、どのトレイ１５に光ディスク２０がセッティングされているかを検知することができる。ディスク検知センサ１７は、ＬＥＤ（発光ダイオード）と受光素子とを備え、光ディスク２０に反射したＬＥＤからの出射光を受光素子で受光することにより光ディスク２０を検知する。ディスク検知センサ１７の検知信号は、図示しないターンテーブル制御部へ出力される。
【０２３０】
図２５に示すように、ターンテーブル１２の全体がドライブ部３００の筐体３０内に収納された後、トレイ１５ａのディスク検知センサ１７からの検知信号をターンテーブル制御部が受信すると、ターンテーブル制御部は、ターンテーブル移動部を制御することによりターンテーブル１２を回転させ、図２６に示すようにトレイ１５ａにセッティングされた光ディスク２０ａを光ピックアップ９の記録再生対象とする。
【０２３１】
（ローディング動作）
図２７（ａ）〜（ｃ）は、ローディング動作を示す概略図である。同図（ａ）に示すように、筐体３０からせり出したトレイ１５ａに光ディスク２０ａがセッティングされた後、ターンテーブル１２が筐体３０内に収納されると、ターンテーブル１２が１８０度回転し、同図（ｂ）に示すように、トレイ１５ａにセッティングされた光ディスク２０ａが光ピックアップ９の直上に配置される。
【０２３２】
その後、同図（ｃ）に示すように、光ピックアップ９およびスピンドルモータ１０が一体的に上昇することにより、スピンドルモータ１０がターンテーブル１２から光ディスク２０ａを持ち上げるようにして、光ディスク２０ａがスピンドルモータ１０に転載される。
【０２３３】
なお、既にターンテーブル１２にセッティングされている光ディスク２０に対して記録再生を行う場合には、記録再生の対象となる光ディスク２０が光ピックアップ９の直上に配置されるようにターンテーブル１２を回転させた後、同図（ｃ）に示した動作を行えば良い。
【０２３４】
このようにして、レコーダ装置１００は、ドライブ部３００に複数の光ディスクを着脱可能に装填するトレイ１５ａ〜１５ｄを備え、そのトレイ１５ａ〜１５ｄに装填された光ディスクを切り替えることにより、複数の光ディスクからの情報の記録再生を行う。
【０２３５】
なお、上記説明では、レコーダ装置１００は、ドライブ部３００にトレイ１５ａ〜１５ｄを備えるものとして説明したが、トレイの数は４つに限定されるものではない。また、レコーダ装置１００は、図２４〜図２７に示される構成および動作により複数の光ディスクからの情報の記録再生を行うものとして説明したが、複数の光ディスクからの情報の記
録再生が可能であれば、その構成は、図２４〜図２７に記載された構成に限定されるものではない。
【０２３６】
＜レコーダ装置１００が実行する動作例＞
次に、レコーダ装置１００が実行する動作の一例を図２８を参照して説明する。図２８は、複数の光ディスクから取得したコンテンツについて、光ディスク単位ではなく、コンテンツのタイトル・放送回数に基づいてサムネイルが表示された様子を示す図である。
【０２３７】
まず、図２８を概略的に説明すれば、レコーダ装置１００は、ドライブ部３００のトレイ１５ａ〜１５ｄに装着された光ディスクのそれぞれに記録されているコンテンツを示すコンテンツ情報（例えばサムネイル）及びそのコンテンツの属性を示す属性情報を、装着光ディスクのそれぞれから取得し、そのサムネイルのうち、コンテンツ同士が互いに関連するサムネイルを、タイトル・放送回数に基づいて抽出し、表示装置５００における表示画面に表示する。その結果、「タイトル１」（第１〜１２回放送）のサムネイルが表示装置５００における表示画面に表示されている。
【０２３８】
なお、属性情報とは、例えば、コンテンツのタイトル情報、放送回数、クレジットタイトル情報（オープニングクレジット情報、エンディングクレジット情報）、チャプター情報、コンテンツ関連情報（コンテンツの製作者や配信者など権利を持つ人・会社に関する情報や、コンテンツがドラマ、スポーツ、映画等である場合のその出演者に関する情報等）、その他の付随情報、番組付随情報、著作権情報、アクセス制御情報などである。図２８では、その属性情報のうちタイトル及び放送回数に関連性・連続性があるかどうかが判断され、関連性・連続性が認められたコンテンツのサムネイルが表示装置５００における表示画面に表示されている。
【０２３９】
また、コンテンツ情報とは、例えば、コンテンツの１場面に対応した、静止画像サムネイルまたは動画像サムネイル、もしくは、サムネイル作成の基となる光ディスクに記録されている静止画像ファイルデータまたは動画像ファイルデータのことである。あるいは、後述する図３７における、テキストのリスト形式によるタイトルリストであってもよい。
【０２４０】
なお、サムネイルとは、実際に光ディスクに記録されている画像サイズよりも縮小したサイズの画像であって、コンテンツ（映像）ファイル一覧を表示する際に、映像ファイルの一部ないし全部を縮小画像で表示することによってコンテンツの内容をより確実に把握することを目的とした縮小画像のことをいう。そして、静止画像サムネイルとは、光ディスクに記録されたコンテンツの１場面に対応した静画像のサムネイルのことをいい、動画像サムネイルとは、光ディスクに記録されたコンテンツの１場面に対応した動画像のサムネイルのことをいう。
【０２４１】
このように、レコーダ装置１００は、例えば連続番組ディスクにおいて、ディスク単位ではなく、一連のコンテンツ単位でコンテンツ情報（例えばサムネイル）を表示する。そして、レコーダ装置１００は、関連性のないサムネイルを排除したうえで、関連性のあるサムネイルのみをコンテンツ表示部５１０に一覧表示するため、ユーザーは、一覧表示されたサムネイルを確認し、その一覧表示されたサムネイルをクリックするなどして、所望のコンテンツを短時間のうちに視聴することができる。
【０２４２】
なお、他にも種々の実施例が考えられるが、その具体例は後述する。
【０２４３】
（レコーダ装置１００の要部説明）
次に、図１を参照して、レコーダ装置１００のより詳細な構成を説明する。なお、図２〜図２３を参照して説明した内容と同一の内容は説明を省略する。
【０２４４】
図１は、レコーダ装置１００の要部構成を表すブロック図である。図示のように、バックエンド部２００は、チューナー部２１０、エンコーダ部２２０、ストリーム処理部２３０、バックエンド制御部２４０、デコーダ部２６０、画像処理部２７０、バッファ部２５０、記憶部２８０およびインターフェース部２９０に加え、さらにコンテンツ情報取得部２４５及び抽出部２５５を備える。そして、上記各部は、バスラインを介して互いに接続されている。
【０２４５】
コンテンツ情報取得部２４５は、インターフェース部２９０・３１０を介して、ドライブ部３００の記憶部３４０より、ディスクドライブ部３３０に装填された光ディスクのそれぞれに記録されているコンテンツを示すコンテンツ情報（以下、コンテンツ情報は動画像サムネイルであるものとして説明する）及びそのコンテンツの属性を示す属性情報を取得する。
【０２４６】
ここで、記憶部３４０は、ユーザーの所望するｎ個の領域（領域１〜領域ｎ）に仮想的に分割されていても良い（図３、図４等参照）。そして、レコーダ装置１００に装填される光ディスクごとにメディアＩＤを決めておけば、そのメディアＩＤに対応した領域１〜ｎに動画像サムネイルおよび属性情報を記録することができる。そして、コンテンツ情報取得部２４５は、各領域１〜ｎから動画像サムネイルおよび属性情報を取得すれば良く、これにより各光ディスクに記録された動画像サムネイルおよび属性情報の管理が容易になる。
【０２４７】
抽出部２５５は、コンテンツ情報取得部２４５が取得した複数の動画像サムネイルから、コンテンツ同士が互いに関連する動画像サムネイルを属性情報に基づいて抽出する。例えば、図２８の例では、抽出部２５５は、コンテンツ情報取得部２４５が取得した属性情報から、コンテンツのタイトル及び放送回数を読み出す。そして、抽出部２５５は、タイトルが同じコンテンツであって、その放送回数に連続性があるコンテンツを抽出する。図２８では、「タイトル１」、「第１〜１２回放送回数」という属性情報を有するサムネイル画像が、その属性情報と共に抽出され、レコーダ装置１００外部の表示装置５００における表示画面に表示されている。
【０２４８】
つまり、抽出部２５５は、コンテンツ情報取得部２４５が取得した複数の動画像サムネイルから、コンテンツ同士が互いに関連する動画像サムネイルを属性情報に基づいて抽出する。そして、動画像サムネイルは、光ディスク１枚１枚ごとではなく、そのコンテンツ単位で抽出される。
【０２４９】
画像処理部２７０は、抽出部２５５が抽出した動画像サムネイルを取得し、外部の表示装置５００における表示画面に一覧表示させる。それにより、ユーザーは、属性情報に基づいて抽出された動画像サムネイルを視認することができる。
【０２５０】
ここで、光ディスクにおいてタイトル情報が記録されている領域としては、ディスクがＢｌｕ−ｒａｙディスクである場合は、ディスクタイトルを定義するインデックステーブル、ＤＶＤである場合にはＩＦＯ（制御情報ファイル）、また、ディスクに記録されたコンテンツが日本のデジタル放送である場合には、放送データに含まれているＡＲＩＢ規格で規定のＳＩ（番組配列情報）やＰＳＩ（番組特定情報）などが考えられる。
【０２５１】
これらの領域に記録されている情報から、コンテンツに関するタイトル情報を抽出して、関連性・連続性のあるディスクやコンテンツがあるかどうかが判断される。具体的な抽出箇所やその処理方法は公知であるため、その詳細についての説明は省略する。
【０２５２】
なお、記憶部３４０に記録された動画像サムネイルおよび属性情報は、バックエンド制御部２４０からの指示を受けたドライブ制御部３２０が記憶部３４０に記憶したものである。但し、動画像サムネイルおよび属性情報は、ユーザーが任意に抽出した動画像サムネイルと、その属性情報とを含むものであって良い。この場合、ユーザーによって操作入力部から入力された動画像サムネイル（および付随する属性情報）が、記憶部３４０に記憶される。従って、コンテンツ情報取得部２４５は、記憶部３４０に記憶されたすべてのコンテンツ情報を取得するができる。
【０２５３】
（関連性・連続性の判定方法）
次に、抽出部２５５によって行われる、属性情報に基づいた関連性・連続性の判定方法について説明する。
【０２５４】
一例として、属性情報に含まれるタイトル情報の関連性・連続性を判定する場合を考える。この場合、記録されているコンテンツが連続番組であれば、タイトル情報内に同一点か類似点があるため、これを判断材料として関連性・連続性が判断される。
【０２５５】
例えば、コンテンツが連続番組である場合、タイトル情報には、番組名＋放送回数（第何回放送等）、番組名＋放送日時が含まれている。従って、番組名の全体やその一部（例えば、前方一致するかどうか）を基に、関連性・連続性の有無が判断される。より具体的には、記録コンテンツのタイトル情報が、「ＸＸＸ(番組名)  第１回」、「ＸＸＸ(番組
名)  第２回」、・・・となっていた場合、タイトル情報が前方一致していることから連
続番組と判定する。
【０２５６】
あるいは、ＴＶ番組を記録したコンテンツであった場合は、放送日時（＝コンテンツが記録された日時）情報も判断材料とすることができる。例えば、記録コンテンツのタイトル情報が、単に、「ＸＸＸ(番組名)」、「ＸＸＸ(番組名)」、・・・となっていた場合、放送日時（＝コンテンツが記録された日時）情報を基に、前後関係（どれが先行するコンテンツかどうか）を設定した上で、連続番組と判定する。
【０２５７】
その他、市販のコンテンツ記録済みＲＯＭディスクに含まれる付随情報、ＲＯＭディスク情報を保有するデータベースなどから入手可能なＲＯＭディスクに記録されているコンテンツに関連する追加／詳細コンテンツ情報、ＴＶ番組やネット配信コンテンツに付加されて配信されるメタデータに含まれる番組関連情報、著作権情報（コンテンツの製作者や配信者など権利を持つ人・会社などの情報）、アクセス制御情報（受信と同時に視聴できないなどを設定する制御情報）などを基にして関連性・連続性の有無について判断しても良い。
【０２５８】
なお、単に、各ディスクに記録されているディスクタイトルや記録コンテンツのタイトルなどのタイトル情報のみを判定材料とした場合に、実際には関連のないコンテンツであるにも関わらず、たまたまタイトルに同一性や類似性がある場合があり、結果として、コンテンツ間で関連性・連続性があると誤判定する可能性がある。そのような場合には、そのほかの付随情報、番組付随情報、著作権情報、アクセス制御情報などを参照すれば良く、これらの情報も合わせて判定材料とすることで、より正確に関連性・連続性の判定を行い、誤判定の可能性を低くすることができる。
【０２５９】
その一例として、たまたまタイトルに同一性や類似性がある場合でも、コンテンツの製作者や配信者などの権利を有する者・会社に関する情報や、コンテンツがドラマや映画である場合における出演者に関する情報がコンテンツ間で相違していれば、当該コンテンツ間には関連性・連続性がない（または、かなり可能性が低い）と判定することもできる。
【０２６０】
また、ディスクが市販のコンテンツ記録済みＲＯＭディスクなどであれば、タイトル情報の他に、記録されているチャプター構成（チャプターのタイトル情報やサムネイル画像の関係性）を基に、同一性・連続性を判定することもできる。
【０２６１】
例えば、各ディスクに記録されているチャプターのタイトル情報やサムネイル画像に関して、同一性や類似性があるものが含まれており、かつ、このチャプターが特定の位置にあるもの（例えば、ディスクの先頭や最終チャプター）である場合には、このチャプターは、コンテンツの番組本体ではなく、その前後にあるメニュー画面やクレジットタイトル（オープニングクレジット、エンディングクレジット）などである可能性が高い。従って、このチャプターに同一性・類似性があることから、当該ディスク間には関連性・連続性があると判定することができる。
【０２６２】
このように、属性情報に関連性・連続性がある場合には、コンテンツ同士が互いに関連すると言うことができる。
【０２６３】
（動作フローの説明）
次に、レコーダ装置１００が光ディスクからコンテンツ情報及び属性情報を取得し、そのコンテンツ情報（及び属性情報）が表示装置５００における表示画面に表示されるまでのフローを図２９を参照して説明する。図２９は、レコーダ装置１００の動作フローを説明するための図である。
【０２６４】
まず、ステップＳ１０では、レコーダ装置１００に複数の光ディスクが装填される。なお、当該複数の光ディスクは、マイディスクとして登録されている場合も含む。
【０２６５】
次に、ステップＳ１２では、光ディスクに記録されたコンテンツ情報（動画像サムネイル）及び属性情報が記憶部３４０に記録される。なお、各光ディスクに記録されたコンテンツ情報及び属性情報は、図２４〜図２６を参照して説明した方法によって順次読み取られる。また、トレイ１５に装填された光ディスクからのコンテンツ情報及び属性情報の読み出し、及び、記憶部３４０への当該コンテンツ情報及び属性情報への書き込みは、バックエンド制御部２４０からの指示を受けたドライブ制御部３２０によって制御される。
【０２６６】
続いて、ステップＳ１４では、入力操作部からユーザーが入力したコンテンツ情報（及び付随する属性情報）が記憶部３４０に記録される。なお、ステップＳ１２とステップＳ１４とは、その順番が逆でも構わない。また、記憶部３４０に記録されたコンテンツ情報及び属性情報は、光ディスクがマイディスクとして登録されている場合には、対応する領域１〜ｎに記録される。
【０２６７】
ステップＳ１６では、コンテンツ情報取得部２４５が、バックエンド制御部２４０からの指示を受けて、記憶部３４０に記録された動画像サムネイル及び属性情報を取得する（取得ステップ）。
【０２６８】
続いて、ステップＳ１８では、抽出部２５５が、バックエンド制御部２４０からの指示を受けて、コンテンツ情報取得部２４５が取得した複数の動画像サムネイルのうち、コンテンツ同士が互いに関連する動画像サムネイルを、属性情報に基づいて、より具体的には、コンテンツのタイトル情報、放送回数、クレジットタイトル情報、チャプター情報、コンテンツ関連情報などの属性情報の関連性・連続性に基づいて、動画像サムネイルを抽出する（抽出ステップ）。
【０２６９】
最後に、ステップＳ１８において、画像処理部２７０が、バックエンド制御部２４０からの指示を受けて、抽出部２５５が抽出した動画像サムネイルを表示装置５００における
表示画面に表示させる（表示ステップ）。
【０２７０】
なお、画像処理部２７０は、バックエンド制御部２４０からの指示を受けて、種々のバリエーションで、動画像サムネイル、あるいは、ユーザーへの注意喚起を促す画像を表示させる。このことを、図３０〜図３７を参照して説明する。
【０２７１】
（光ディスクがレコーダ装置に装填されていない場合）
図３０（ａ）・（ｂ）は、属性情報に含まれるタイトル・放送回数の関連性・連続性に基づいて抽出部２５５が動画像サムネイルを抽出した場合であって、連続性を喪失した放送回数分のコンテンツを記録した光ディスクがレコーダ装置１００から排出されたときの表示例を示す。つまり、図３０（ａ）・（ｂ）に示される表示は、「タイトル１」（第８・９回放送）を記録した光ディスクがレコーダ装置１００から排出されている場合の表示例である。
【０２７２】
このとき、表示装置５００における表示画面には、「タイトル１」のコンテンツの第８、９回放送分を除いた、第１〜１２回放送分の動画像サムネイルが表示されると共に、他のサムネイル画像と区別しうる態様で、第８、９回放送分を示す情報（画像）が表示されている。具体的には、その画像は、図３０（ａ）ではグレー単色で、図３０（ｂ）では「タイトル１」「（第８（９）回放送）現在再生できません」の文字がテキスト表示されている。
【０２７３】
この動作を具体例を用いて説明する。例えば、「タイトル１」（第８・９回放送）のコンテンツを記録した光ディスクが光ディスクＡであるとする。その光ディスクＡは、レコーダ装置１００に装填されることにより、当該コンテンツを示す動画像サムネイル及び属性情報が記憶部３４０に記録される。続いて、光ディスクＡがレコーダ装置１００から排出される。
【０２７４】
そして、抽出部２５５によって抽出された動画像サムネイルが表示装置５００における表示画面に表示されるときに、ディスク検知センサ１７からの検知信号を受けたバックエンド制御部２４０が、画像処理部２７０に対して、他のサムネイル画像と区別しうる態様で第８、９回放送分を示す画像を表示するよう指示する。その結果、抽出された動画像サムネイルをコンテンツ表示部５１０に一覧表示させるときに、「タイトル１」（第８・９回放送）のコンテンツを記録した光ディスクＡがトレイ１５に装着されていなければ、画像処理部２７０は、他の動画像サムネイルの表示形式とは異なる表示形式でその旨を表示させる。
【０２７５】
そして、コンテンツ表示部５１０に表示されたサムネイル画像を視認したユーザーは、現在光ディスクＡがレコーダ装置１００に装填されていないため「タイトル１」（第８・９回放送）のコンテンツを再生することができないこと、そして、光ディスクＡを再装填することにより、当該コンテンツを再生可能であることを確認することができる。
【０２７６】
なお、表示方法は種々のパターンが考えられ、グレー単色でなくカラフルに表示することもでき、また、元のサムネイル画像を白黒反転した上で表示させても良い。さらに、すぐには再生できないことをテキスト表示する場合に、「再生する場合は記録したディスクＡを入れて下さい」といった文字を表示する構成でも良い。
【０２７７】
（記録されている放送回数（第何回等）に抜けがある場合）
図３１（ａ）・（ｂ）は、属性情報に含まれるタイトル・放送回数の関連性・連続性に基づいて抽出部２５５が動画像サムネイルを抽出した場合であって、レコーダ装置１００に装填された光ディスクには記録されていなかった、欠落した放送回数分のコンテンツが
存在するときの表示例を示す。
【０２７８】
このとき、コンテンツ表示部５１０には、「タイトル１」のコンテンツの第９回放送分を除いた、第１〜１２回放送分の動画像サムネイルが表示されると共に、他のサムネイル画像と区別しうる態様で、第９回放送分を示す画像が表示されている。具体的には、その画像は、図３１（ａ）ではグレー単色で、図３１（ｂ）では「タイトル１」「（第９回放送）記録したディスクが見つかりません」の文字がテキスト表示されている。
【０２７９】
つまり、レコーダ装置１００に装填された光ディスクの何れにも「タイトル１」（第９回放送）が記録されていなかった場合に、コンテンツ表示部５１０には、「タイトル１」のコンテンツの第９回放送分を除いた、第１〜１２回放送分の動画像サムネイルが表示されると共に、他のサムネイル画像と区別しうる態様で、第９回放送分を示す画像が表示される。
【０２８０】
なお、欠落した放送回数分のコンテンツが存在するかどうかの判断は、バックエンド制御部２４０が、コンテンツ情報取得部２４５が取得したコンテンツ情報及び属性情報と、抽出部２５５から出力された抽出結果とを照合すれば良く、その照合結果を受けて、「タイトル１」「（第９回放送）記録したディスクが見つかりません」といった表示をするよう画像処理部２７０に対して指示すれば良い。あるいは、１回でも光ディスクをレコーダ装置１００に装填した履歴がある場合には、前述の（光ディスクがレコーダ装置に装填されていない場合）に該当する。従って、履歴の有無で区別できるようにテキスト表示しても良い。
【０２８１】
また、表示方法は種々のパターンが考えられ、グレー単色でなくカラフルに表示することもでき、また、再生できないことを「記録したディスクが見つかりません」、「再生する場合は記録したディスクを入れて下さい」などのテキスト表示しても良い。
【０２８２】
さらには、タイトル情報やメタデータから放送回数が判明した連続番組と判断された場合、未記録分があることを表示するようにしても良い。未記録である放送分のサムネイル画像の表示方法としては、例えば、グレー単色で表示する、未記録であることをテキスト表示する、「まだ放送されていません」、「まだ未購入です」などのテキスト表示が考えられる。そして、放送日時（＝コンテンツが記録された(る)日時）情報やＲＯＭディスク発売日情報、あるいは、ネットからのダウンロード可能だが未購入である事などが分かっているような場合には、これらの情報を基に上記の表示を行うことも可能である。
【０２８３】
（抽出部が抽出した動画像サムネイルが多い場合）
図３２は、抽出部２５５が抽出したサムネイル画像数が多い場合の表示例を示す。これは、ある連続番組が複数枚のディスクに分散して記録され、かつ、属性情報に含まれる「タイトル」（「タイトル以外」であっても良い）に関連性があるかどうかによりサムネイル画像が抽出された場合に、サムネイル表示画面が複数ページに渡ってしまい、少なくとも近接のサムネイルをユーザーが確認するために、サムネイル表示画面をスクロールしなければ確認できない場合に該当する。
【０２８４】
このような場合、所望のシーンを選択するためにサムネイル表示画面のスクロール回数は多くなり、視聴したいシーンの選択に多くの時間を要する。
【０２８５】
その対処法として、図３３（ａ）・（ｂ）に示すように、同一の光ディスクに記録されているタイトルやチャプターの一部、あるいは、ある光ディスクに記録されている、あるタイトルに含まれる複数チャプターの一部のみを表示する方法が考えられる。
【０２８６】
図３３（ａ）は、レコーダ装置１００に装填される各光ディスクにおいてユーザー指定の代表タイトル（またはチャプター）を決めておき、そのサムネイル画像のみを表示する例を示す。
【０２８７】
つまり、図３３（ａ）では、ディスク１〜１２において、それぞれ代表タイトルが１、８、１２、１６等と予め決められており、それらに該当するサムネイルのみが表示される。これにより、表示すべきサムネイル画像数を大幅に削減している。
【０２８８】
図３３（ｂ）は、各ディスクのタイトル（またはチャプター）のサムネイル画像に同一性や類似性があるものが含まれている場合には、同一性や類似性があるものを除いて表示する例を示す。
【０２８９】
つまり、同一性や類似性があるものは、番組本体ではなく、その前後にあるメニュー画面やクレジットタイトル（オープニングクレジット、エンディングクレジット）などである可能性が高く、ユーザーが視聴の対象としないと考えられるため、表示から除外する。これにより、表示すべきサムネイル画像数を大幅に削減している。
【０２９０】
なお、図示しない以下（ａ）〜（ｄ）の方法によりサムネイル画像を表示することも可能である。（ａ）奇数番目または偶数番目のタイトル（またはチャプター）のみのサムネイル画像を表示する。（ｂ）各光ディスクの先頭タイトル（またはチャプター）のみのサムネイル画像を表示する。（ｃ）各光ディスクの先頭タイトル（またはチャプター）および最終タイトル（またはチャプター）の２つのサムネイル画像のみを表示する。（ｄ）各光ディスクの先頭タイトル（またはチャプター）および中央タイトル（またはチャプター）および最終タイトル（またはチャプター）のサムネイル画像のみを表示する。
【０２９１】
上記の各表示方法は、バックエンド制御部２４０が、抽出部２５５が抽出したサムネイル画像が多い場合に、その抽出結果を受けて、所定の方法で表示することを画像処理部２７０に対して指示すれば良い。
【０２９２】
このように、すべてのサムネイル画像を表示せず、規則的に選択された代表的なサムネイル画像のみを表示することにより、シーン選択のためにサムネイル画像が表示された画面のスクロール回数を削減し、視聴したいシーンの選択がより短時間に行われる。
【０２９３】
（チャプター間隔基準値に基づいて表示する場合）
図３４は、抽出部２５５が抽出したサムネイル画像数が多い場合の表示例を示す。具体的には、ある連続番組が複数枚のディスクに分散して記録され、かつ、属性情報に含まれる「チャプター」（「タイトル以外」であっても良い）に関連性があるかどうかによりサムネイル画像が抽出された場合に、サムネイル表示画面が複数ページに渡ってしまい、少なくとも近接のサムネイルをユーザーが確認するために、サムネイル表示画面をスクロールしなければ確認できない場合である。
【０２９４】
このような場合、所望のシーンを選択するためにサムネイル表示画面のスクロール回数は多くなり、視聴したいシーンの選択に多くの時間を要することになる。そこで、図３４を参照して説明する方法が適用される。
【０２９５】
図３４は、隣接サムネイル表示候補（例えば、隣接チャプター。以下、チャプターを例に説明する。）の間隔が設定時間（以下、「チャプター間隔基準値」）より短い場合に、隣接サムネイル表示候補の少なくとも１つを表示しないようにする例を示し、図３４（ａ）は、判定処理前の様子を、図３４（ｂ）は判定例１を、図３４（ｃ）は判定例２を、それぞれ示す。
【０２９６】
ここで、ある記録済みディスクにおいて、記録されているコンテンツの一部に、チャプターが・・Ｐ７、Ｐ８、Ｐ９、Ｐ１０、Ｐ１１、Ｐ１２、Ｐ１３、・・・と設定されていたとする。通常であれば、図３４（ａ）に示すサムネイル表示候補判定処理前のように、各チャプターからサムネイル表示候補を抽出した上で、そのままサムネイル表示候補をすべてサムネイル画像表示する。
【０２９７】
しかしながら、抽出部２５５が抽出したサムネイル画像数が多い場合、サムネイル表示画面が複数ページに渡ってしまい、少なくとも近接のサムネイルをユーザーが確認するために、サムネイル表示画面をスクロールしなければならない場合がある。
【０２９８】
そのような場合に、レコーダ装置１００において、「チャプター間隔基準値」が５分間で設定されており、かつ、ある隣接チャプター（Ｐ１０からＰ１２）の間隔のみがチャプター間隔基準値より短い３分であれば、この隣接チャプター箇所に対応するサムネイル画像を表示する場合、Ｐ１０またはＰ１１のどちらか一方のみを表示する。
【０２９９】
例えば、図３４（ｂ）は、時間的に先行する（先に再生される）チャプターＰ１１をサムネイル表示候補とし、後続するＰ１２をサムネイル表示候補から除外した例であり、
サムネイル表示画面には、・・Ｐ７、Ｐ８、Ｐ９、Ｐ１０、Ｐ１１、Ｐ１３、・・・が表示される。
【０３００】
また、図３４（ｃ）は、別のサムネイル表示候補判定の判定例である。例えば、Ｐ１１がユーザー設定したチャプターであり、Ｐ１０を含む他のチャプターは、コンテンツにより当初設定されていたチャプターや、ディスク再生装置により自動的に設定されたチャプターであったとする。この場合、サムネイル表示候補判定において、ユーザー設定チャプターを優先して表示するようにサムネイル表示候補判定処理を行うようにした場合、Ｐ１１をサムネイル表示候補から除外して、サムネイル表示画面には、・・Ｐ７、Ｐ８、Ｐ９、Ｐ１０、Ｐ１２、Ｐ１３、・・・を表示する。
【０３０１】
なお、上記例では、隣接チャプターの２つのどちらかを表示しない例により説明した。しかしながら、サムネイル表示候補判定の対象を隣接チャプター２つのみに限定するだけでなく、３つ以上の隣接チャプターを対象として、この隣接チャプター箇所に対応するサムネイル表示候補判定を行うことも可能である。
【０３０２】
このように、チャプター間隔が、レコーダ装置１００における設定時間「チャプター間隔基準値」より短い場合、この隣接チャプターのどちらか一方のみを表示しても良い。あるいは、どちらか一方がユーザー設定したチャプターであった場合には、ユーザー設定チャプターを優先して表示して、コンテンツにより当初設定されていたチャプターや、レコーダ装置１００により自動的に設定されたチャプターのサムネイル画像を表示させないようにしても良い。
【０３０３】
上記の各表示方法は、バックエンド制御部２４０が、抽出部２５５が抽出したサムネイル画像が多い場合に、その抽出結果を受けて、所定の方法で表示することを画像処理部２７０に対して指示すれば良い。
【０３０４】
ここで、図３５を参照して、隣接サムネイル表示候補（例えば、隣接チャプター。以下、チャプターを例にとり説明する。）の間隔がチャプター間隔基準値より短い場合に、隣接サムネイル表示候補の少なくとも１つを表示しなくするための動作を説明する。図３５は、サムネイル表示画像の表示候補判定フローを説明するための図である。
【０３０５】
まず、ステップＳ３０では、ディスクドライブ部３３０に装填された光ディスクからサムネイル表示候補（チャプター）が読み込まれる。なお、その読み込みは、バックエンド制御部２４０からの指示を受けたドライブ制御部３２０によって制御される。
【０３０６】
次に、ステップＳ３２では、チャプター間隔基準値（Ｔ）が読み込まれる。なお、その読み込みは、バックエンド制御部２４０からの指示を受けたドライブ制御部３２０によって行われる。
【０３０７】
次に、ステップＳ３４では、バックエンド制御部２４０が、隣接チャプターの間隔がＴ以下であるかどうかを判定する。
【０３０８】
ステップＳ３４でＹｅｓの場合、ステップＳ３６に進む。ステップＳ３６では、バックエンド制御部２４０が、隣接チャプターの一方をサムネイル候補から除外し、ステップＳ３８に進む。なお、隣接チャプターの何れを除外するかは、図３４（ｂ）あるいは図３４（ｃ）の何れのケースでも良い。
【０３０９】
なお、ステップＳ３４でＮｏの場合にもステップＳ３８に進む。ステップＳ３８では、バックエンド制御部２４０が、すべての隣接チャプターについて、隣接チャプターの間隔がＴ以下であるかどうかを確認する。ここでＮｏであればステップＳ３４に戻る。一方、Ｙｅｓであれば、バックエンド制御部２４０は、画像処理部２７０に対して、上記各ステップの結果をコンテンツ表示部５１０に表示するよう指示する。
【０３１０】
このようにして、隣接サムネイル表示候補の間隔がチャプター間隔基準値より短い場合に、隣接サムネイル表示候補の少なくとも１つを表示する動作が実行される。なお、ここではチャプターを例に説明したが、もちろん、他の項目を基準に判断することも可能である。また、チャプター間隔基準値は、予めドライブ制御部３２０に登録されていても、あるいは、ユーザーが入力操作部から任意の時間を設定するようにしても良い。
【０３１１】
（表示していない一部のタイトルやチャプターのサムネイル画像を表示）
図３６（ａ）〜（ｅ）は、サムネイル表示画面で、タイトルやチャプターの一部を表示しないようにした場合（例えば図３５で説明したケースの場合）であって、表示されているタイトルやチャプターのサムネイル画像上にカーソルが移動したときに、表示されていない一部のタイトルやチャプターのサムネイル画像が表示される表示例を示す図である。
【０３１２】
上述した、サムネイル画像数が多い場合や、チャプター間隔基準値に基づいてサムネイル画像が表示される場合では、すべてのサムネイル画像を表示せず、規則的に選択された代表的なサムネイル画像のみが表示される。これにより、シーン選択のためにサムネイル画像が表示された画面のスクロール回数が減り、ユーザーが視聴したいシーンをより短時間に選択できる例を説明した。しかしながら、その場合、視聴者が視聴したいシーンの近傍のサムネイル画像が表示されず、逆にシーン選択に時間を要するケースが考えられる。
【０３１３】
そこで、ユーザーのマウス操作等によって連動する、表示装置５００における表示画面に表示されたカーソルの動きに基づいて、抽出されたサムネイル画像のうち、表示装置５００における表示画面に表示されなかったサムネイル画像を規則的に選択して表示装置５００における表示画面に表示することができれば、表示装置５００における表示画面に表示していなかったサムネイル画像のタイトルやチャプターを表示できる。その結果、ユーザーは、視聴したいシーンをより短時間に選択することができる。
【０３１４】
そこで、図３６（ａ）〜（ｅ）、及び図３７（ａ）・（ｂ）に示す方法が考えられる。図３６（ａ）は、サムネイル表示画面において、タイトルやチャプターの一部を表示しな
いようにした場合であって、サムネイル表示画面に表示されたタイトルやチャプターのサムネイル画像上（「タイトル２６」（ディスク６））にカーソルが移動した場合を示す。この状態において、図３６（ｂ）等の動作が実現する。
【０３１５】
具体的には、図３６（ｂ）では、各光ディスクの先頭タイトル（またはチャプター）のみのサムネイル画像を表示している場合であって（奇数番目のタイトルのみのサムネイル画像が表示されているような場合でも良い）、ある光ディスクのタイトルのサムネイル画像上にカーソルが移動した場合に、その光ディスクに記録されているすべてのタイトルのサムネイル画像が表示される場合を示す。
【０３１６】
図３６（ｂ）に示す例では、サムネイル画像（「タイトル２６」ディスク６）上にカーソルが移動したことにより、ディスク６に含まれる「タイトル２７」〜「タイトル３０」のサムネイル画像が表示装置５００における表示画面に表示される。このとき、ディスク６を除く他のディスクについては、図３６（ａ）と同一の表示内容が維持される。
【０３１７】
図３６（ｃ）に示す例では、カーソルが移動したサムネイル画像（「タイトル２６」（ディスク６））の隣接タイトル（またはチャプター）が表示されていない場合に、その表示されていない隣接タイトル（またはチャプター）のみが追加表示される。
【０３１８】
図３６（ｃ）では、サムネイル画像（「タイトル２６」（ディスク６））にカーソルが移動したことに伴い、その隣接タイトルである、サムネイル画像（「タイトル２５」（ディスク５））及びサムネイル画像（「タイトル２７」（ディスク６））が表示装置５００における表示画面に表示される。
【０３１９】
なお、図３６（ｂ）・（ｃ）では、表示されていないサムネイル画像は、サムネイル画像（「タイトル２６」（ディスク６））の左右に表示されている。しかしながら、図３６（ｄ）のように、別途サブメニュー画面を表示して、そのサブメニュー画面上に新たなサムネイル画像を表示しても良い。あるいは、図３６（ｅ）のように、カーソルが移動したサムネイル画像上（「タイトル２６」（ディスク６））に、ディスク６に含まれるタイトル（またはチャプター）を順次表示させても良い。
【０３２０】
さらに、サムネイル画像が動画像サムネイルである場合は、次のように新たなサムネイル画像を表示しても良い。なお、以下の説明は、サムネイル画像（「タイトル２６」（ディスク６））上にカーソルが移動したものとして説明する。
（ａ）ディスク６に含まれるタイトル（またはチャプター）を動画像サムネイルとして順次表示する。このとき、当初設定している動画サムネイル画像表示設定時間のまま、動画像サムネイルを順次表示する。つまり、動画サムネイル画像表示設定時間が１５秒として設定されている場合には、１５秒毎に新たな動画像サムネイルを表示する。
（ｂ）ディスク６に含まれるタイトル（またはチャプター）を動画像サムネイルとして順次表示する。ただし、当初設定している動画サムネイル画像表示設定時間を短縮して、動画像サムネイルを順次表示する。つまり、動画サムネイル画像表示設定時間が１５秒で設定されていたとしても、５秒毎に新たな動画像サムネイルを表示する。
【０３２１】
一方、サムネイル画像が静止画像サムネイルである場合は、次のように新たなサムネイル画像を表示する。なお、以下の説明は、サムネイル画像（「タイトル２６」（ディスク６））上にカーソルが移動したものとして説明する。
（ｃ）ディスク６に含まれるタイトル（またはチャプター）を静止画像サムネイルとして順次表示する。
（ｄ）ディスク６に含まれるタイトル（またはチャプター）を動画像サムネイルとして順次表示する。なお、表示方法は、上記（ａ）・（ｂ）のように適宜変更可能とする。
【０３２２】
次に、図３７（ａ）・（ｂ）は、サムネイル表示画面で、タイトルやチャプターの一部を表示しないようにした場合であって、サムネイル表示画面で表示しているタイトルやチャプターのサムネイル画像上にカーソルが移動した場合に、表示していない一部のタイトルやチャプターのサムネイル画像をタイトルリスト表示する例を示す図である。
【０３２３】
図３６を参照して説明した例では、動画像または静止画にてサムネイル画像が表示されていた。しかしながら、表示方法はこれに限られず、図３７（ａ）・（ｂ）に示すように、テキストのリスト形式によりタイトルリスト表示を行っても良い。何れの方法とするかは、レコーダ装置１００にユーザーが設定可能な構成とすれば良い。
【０３２４】
図３６、図３７を参照して説明した上記の各表示方法は、予め表示方法を決めたうえで、バックエンド制御部２４０が、コンテンツ表示部５１０に表示されたカーソルの動きに応じて、所定の表示方法で表示するよう画像処理部２７０に指示すれば良い。
【０３２５】
上述したように、画像処理部２７０は、バックエンド制御部２４０からの指示を受けて、種々のバリエーションで、動画像サムネイル（及び、場合によってはその属性情報）、あるいは、ユーザーへの注意喚起を促す画像を表示させる。これらの表示方法は、個別に、あるいは種々組み合わせて実現することができる。
【０３２６】
（レコーダ装置１００の効果）
次に、レコーダ装置１００によって得られる効果を説明する。
【０３２７】
前記構成によれば、レコーダ装置１００では、コンテンツ情報取得部２４５が、レコーダ装置１００に装着された光ディスクのそれぞれから取得したコンテンツ情報と属性情報とを関連付けて記憶部３４０に記録する。そして、抽出部２５５が、属性情報に基づいて、コンテンツ同士が互いに関連するコンテンツ情報を記憶部３４０から抽出し、画像処理部２７０が、その抽出されたコンテンツ情報を表示装置５００における表示画面に一覧表示させる。
【０３２８】
このように、レコーダ装置１００では、コンテンツ同士が互いに関連するコンテンツ情報をコンテンツの属性情報に基づいて記憶部３４０から抽出するため、個々の光ディスクからコンテンツ情報を随時読み出す従来のディスク再生装置に比べて、より短時間にユーザーが求めるコンテンツ情報を表示装置５００における表示画面に表示することができる。
【０３２９】
加えて、コンテンツの関連性が属性情報に基づいて判断されるため、従来のディスク再生装置のように光ディスク単位ではなく、コンテンツ単位でコンテンツ情報が表示装置５００における表示画面に表示される。
【０３３０】
それゆえ、関連性のないコンテンツ情報を排除したうえで、関連性のあるコンテンツ情報のみを表示装置５００における表示画面に一覧表示することができ、ユーザーは、一覧表示されたコンテンツ情報を確認し、その一覧表示されたコンテンツ情報をクリックするなどして、所望のコンテンツを短時間のうちに視聴することができる。その結果、コンテンツ情報を選択する際のユーザビリティが格段に向上する。
【０３３１】
このように、レコーダ装置１００は、コンテンツ情報を短時間に選択することができ、かつ、ユーザビリティを格段に向上させることができる。
【０３３２】
また、抽出部２５５は、属性情報に含まれる、コンテンツのタイトル情報、放送回数、
クレジットタイトル情報、チャプター情報、コンテンツ関連情報などに基づいて、コンテンツ同士が互いに関連するコンテンツ情報を抽出する。
【０３３３】
従って、例えば「タイトル情報」、「放送回数」に基づいてコンテンツ情報が抽出された場合には、「タイトルＡ」、「第ｎ放送回数」という属性情報を有するコンテンツが互いに関連すると判断され、該当するコンテンツのコンテンツ情報が抽出される。
【０３３４】
このとき、そのコンテンツ情報が同一の光ディスクに記録されているか、異なる光ディスクに記録されているかに係らず、コンテンツ情報が抽出される。それゆえ、ユーザーは、短時間のうちに、関連性のあるコンテンツ情報を表示装置５００における表示画面で視認することができる。
【０３３５】
なお、コンテンツのタイトル情報、放送回数、クレジットタイトル情報、チャプター情報、コンテンツ関連情報等のうち、何れの情報に基づいてコンテンツ情報を取得するかはユーザーがレコーダ装置１００に適宜設定すれば良い。これにより、よりユーザーの嗜好に適合したコンテンツ情報を短時間のうちに抽出することができる。
【０３３６】
また、レコーダ装置１００では、コンテンツ情報は、コンテンツの１場面に対応した、静止画像サムネイルまたは動画像サムネイルである構成とすることができる。
【０３３７】
つまり、表示装置５００における表示画面に一覧表示されるコンテンツ情報が、コンテンツの１場面（シーン）に対応した静止画像サムネイル、または、動画像サムネイルであれば、ユーザーは、視聴したいシーンをより簡単に見つけることができ、そのサムネイルをクリックするなどして、所望のコンテンツを短時間のうちに視聴することができる。それゆえ、視聴したいシーンを選択する際のユーザビリティを格段に向上させることができる。なお、図３７を参照して説明したタイトルリスト表示により、抽出されたコンテンツ情報を表示することも可能である。
【０３３８】
また、レコーダ装置１００では、コンテンツ情報取得部２４５は、さらに、ユーザーが抽出したコンテンツ情報及び属性情報を取得すると共に、取得したコンテンツ情報と属性情報とを関連付けて記憶部３４０に記録するようにしても良い。
【０３３９】
ユーザーは、自身のお気に入りのシーンをチェックしておき、後からそのシーンを再び視聴したい場合がある。そのような場合、コンテンツ情報取得部２４５が、ユーザーによって抽出されたコンテンツ情報及び属性情報を取得すれば、抽出部２５５は、そのコンテンツ情報及び属性情報をも含めた中から、コンテンツ同士が互いに関連するコンテンツ情報を、属性情報に基づいて抽出することができる。
【０３４０】
それゆえ、単にレコーダ装置１００が抽出したコンテンツ情報のみならず、ユーザーが抽出したコンテンツ情報を表示装置５００における表示画面に一覧表示することができ、ユーザーにとって、レコーダ装置１００のユーザビリティはさらに向上する。
【０３４１】
レコーダ装置１００では、画像処理部２７０は、抽出されたコンテンツ情報を表示装置５００における表示画面に一覧表示させる際に、そのコンテンツ情報を記録した光ディスクがトレイ１５に装着されていない場合には、そのコンテンツ情報の表示方法を変更させる構成とすることができる。
【０３４２】
この構成を備えることにより、抽出されたコンテンツ情報が表示装置５００における表示画面に一覧表示されたときに、そのコンテンツ情報を記録した光ディスクがトレイ１５に装着されているか否かをユーザーは容易に確認することができる。
【０３４３】
従って、ユーザーは、自身が視聴したいシーン（又は、タイトルやチャプター）が現在すぐには再生できないことを知ることができ、そのシーンが記録された光ディスクをレコーダ装置１００に装填する契機とすることができる。
【０３４４】
さらに、すぐに再生できないシーンを飛び越えて、次のシーン、例えば次の放送回数のシーンを間違って視聴するという事態を回避することができる。
【０３４５】
また、レコーダ装置１００では、画像処理部２７０は、抽出されたコンテンツ情報のうち、規則的に選択されたコンテンツ情報を表示装置５００における表示画面に表示させても良い。
【０３４６】
抽出されたコンテンツ情報を表示装置５００における表示画面に一覧表示する際に、すべてのコンテンツ情報を一画面に表示することが困難な場合がある。例えば、隣接するチャプター間隔が短い箇所はシーンも類似していること考えられ、あえて個別に表示する必要性がない場合もある。また、ユーザーが当該シーンを選択するつもりがない場合は、無駄なコンテンツ情報が表示装置５００における表示画面に表示されていることになり、ユーザーが視聴したいシーンを選択するうえで余計な時間を要する結果となる。
【０３４７】
そこで、すべてのコンテンツ情報を表示せず、規則的に選択された代表的なコンテンツ情報のみを表示することにより、シーン選択のためにコンテンツ情報が表示された画面のスクロール回数を削減し、視聴したいシーンの選択をより短時間に行うことができる。
【０３４８】
レコーダ装置１００では、画像処理部２７０は、表示装置５００における表示画面に表示されたカーソルの動きに基づいて、抽出されたコンテンツ情報のうち、コンテンツ表示部５１０に表示されなかったコンテンツ情報を規則的に選択して、表示装置５００における表示画面に表示する構成としても良い。
【０３４９】
この構成を備えることにより、表示装置５００における表示画面に表示されていなかったコンテンツ情報のタイトルやチャプターを表示でき、ユーザーは、視聴したいシーンをより短時間に選択することができる。
【０３５０】
レコーダ装置１００では、属性情報に含まれる放送回数に基づいてコンテンツ情報が抽出される場合であって、その放送回数が連続性を喪失している場合に、画像処理部２７０は、当該連続性を喪失した放送回数分を示す画像を表示させる構成とすることができる。
【０３５１】
この構成を備えることにより、抽出されたコンテンツ情報を表示装置５００における表示画面に一覧表示する際に、そのコンテンツ情報が記憶部３４０に記録されているか否かをユーザーは容易に確認することができる。
【０３５２】
従って、ユーザーは、自身が視聴したいシーン（又は、タイトルやチャプター）が現在すぐには再生できないことを知ることができ、そのシーンが記録された光ディスクをレコーダ装置１００に装填する契機とすることができる。あるいは、このシーンが記録されている光ディスクがないのであれば、このシーンが記録されている光ディスク自体やコンテンツデータの入手が必要であることをユーザーに了知させることができる。
【０３５３】
加えて、すぐに再生できないシーンを飛び越えて、次のシーン、例えば次の放送回数のシーンを間違って視聴するという事態を回避することができる。
【０３５４】
なお、光ディスクとしてマイディスクが使用されている場合、マイディスクに記録され
たコンテンツ情報および属性情報は、タイトルと関連付けてタイトル管理領域に記録される。従って、マイディスクがレコーダ装置１００から排出された後でも、ユーザーは、マイディスクに記録されていたコンテンツ情報を視認することができる。
【０３５５】
このように、レコーダ装置１００は、上記構成を備えることにより、様々な効果を得ることができる。それゆえ、コンテンツ情報を短時間に選択でき、かつ、ユーザビリティの高い再生装置、及びコンテンツ情報抽出方法をユーザーに提供することができる。
〔実施の形態２〕
次に、図３８を参照して、他の実施形態に係るレコーダ装置１５０を説明する。図３８は、レコーダ装置１５０の要部構成を表すブロック図である。なお、図１等を参照して説明した内容と同様の内容は説明を省略する。
【０３５６】
ここで、概略的に言えば、レコーダ装置１５０は、光ディスクに記録されたコンテンツに加え、さらにＴＶ番組やネット配信番組されたコンテンツも対象として、コンテンツ同士が互いに関連するコンテンツ情報を、属性情報に基づいて抽出し、コンテンツ表示部５１０に一覧表示することを特徴とする。つまり、レコーダ装置１５０は、光ディスク（マイディスクを含む）が使用される場合に限られず、レコーダ装置１００と同様の効果を奏することができる。
【０３５７】
なお、図３８に記載されたアンテナ、チューナー部、受信処理部、再生処理部、再生出力部についての動作、インターネット回線、外部ＩＦ部についての動作、リモコン、リモコン受信部についての動作は、それぞれ公知のもので良いため、その詳細説明は省略する。
【０３５８】
図３８に示すように、レコーダ装置１５０は、ディスクドライブ２５と、データ処理部３５と、システム制御部４０と、不揮発性記録媒体５０と、を備える。また、システム制御部４０は、再生リスト表示処理部６０を備える。
【０３５９】
ディスクドライブ２５には、コンテンツが記録されたＢＤ、ＤＶＤ等のディスク媒体が装填され、データ処理部３５がシステム制御部４０からの指示を受けて、そのディスク媒体に記録されたコンテンツ情報及び属性情報を読み込む。なお、ディスクドライブ２５は、ディスクチェンジャー機能付きが好ましいが、これに限られない。
【０３６０】
システム制御部４０は、読み込んだコンテンツ情報及び属性情報を互いに関連付けされて不揮発性記録媒体５０に記録する。そして、システム制御部４０が、不揮発性記録媒体５０に記録されているコンテンツ情報のうち、コンテンツ同士が互いに関連するコンテンツ情報を、属性情報に基づいて抽出する。つまり、システム制御部４０が、属性情報の関連性・連続性の判定を行うと共に、コンテンツ同士が互いに関連するコンテンツ情報を抽出する。
【０３６１】
なお、不揮発性記録媒体５０は、レコーダ装置１５０に内蔵されていても、あるいは、システム制御部４０から参照可能な範囲にある別の外付け不揮発性記憶媒体であっても良い。
【０３６２】
システム制御部４０に含まれる再生リスト表示処理部６０は、図３０等を参照して説明した種々のバリエーションにより、表示装置５００における表示画面に一覧表示すべきコンテンツ情報をリスト化するものである。
【０３６３】
再生出力部は、再生リスト表示処理部６０で処理されたコンテンツ情報リストと再生処理部でデコードされたコンテンツとをレコーダ装置１００外部の表示装置５００に出力す
る。加えて、再生出力部は、表示装置５００における表示画面に表示させる表示画面構成の処理を行い、その処理後の表示画面構成を表示装置５００に出力する。
【０３６４】
そして、表示装置５００は、再生出力部から入力された、再生リスト表示処理部６０で処理されたコンテンツ情報リスト、再生処理部でデコードされたコンテンツ、及び再生出力部で処理された表示画面構成を表示装置５００における表示画面に表示する。
【０３６５】
なお、ディスク媒体に記録されたコンテンツに関連性・連続性があるかどうかの判断は、レコーダ装置１００の場合と同様に行えば良く、ここでの説明は省略する。
【０３６６】
次に、ＴＶ番組やネット配信番組を記録したコンテンツに対して関連性・連続性の判定を行う場合を説明する。このケースでは、チューナー部を介してアンテナから受信した放送受信データや、外部ＩＦ部（ＬＡＮ）を介してインターネット回線などのネットワークから配信された配信データにより、システム制御部４０が、入手可能な番組表や別途配信される関連情報に内包されているコンテンツ関連情報を予め不揮発性記録媒体５０に保存する。そして、そのコンテンツが、実際に不揮発性記録媒体５０やその他のＨＤＤ、フラッシュメモリ等の記録媒体に記録された場合に、この保存されたコンテンツ関連情報を基に、コンテンツの関連性・連続性が判断される。
【０３６７】
なお、ＴＶ番組やネット配信番組に係るコンテンツを予め記録していた場合であっても、放送受信データや配信データをその後から入手可能であれば、放送受信データや配信データに内包されるコンテンツ関連情報を基に、コンテンツの関連性・連続性が判断される。
【０３６８】
また、上記説明では、コンテンツ情報および属性情報は、ディスク媒体から読み取られ、あるいは、外部から受信した放送受信データや、外部ＩＦ部（ＬＡＮ）を介してインターネット回線などのネットワークから配信された配信データを介して、不揮発性記録媒体５０に一旦記録されている。そして、システム制御部４０が、不揮発性記録媒体５０からコンテンツ情報および属性情報を読み出した上で、コンテンツの関連性・連続性を判定している。
【０３６９】
しかしながら、コンテンツの関連性・連続性の判定を行う際に、システム制御部４０は、ディスク記録媒体に記録されたコンテンツ情報及び属性情報を直接読み取り、あるいは、放送受信データまたは配信データを外部から直接入手して、上記判定を行うようにしても良い。
【０３７０】
このように、レコーダ装置１５０は、光ディスクあるいはマイディスクに記録されたコンテンツのみを対象とせず、アンテナから受信した放送受信データやインターネット等のネットワークを介して取得したコンテンツに対しても幅広く適用することができる。従って、レコーダ装置１５０は、さらにユーザビリティが高い装置をユーザーに提供することができる。
【０３７１】
最後に、レコーダ装置１００・１５０の各ブロック、特にコンテンツ情報取得部２４５、抽出部２５５、およびシステム制御部４０、再生リスト表示処理部６０は、ハードウェアロジックによって構成しても良いし、次のようにＣＰＵを用いてソフトウェアによって実現しても良い。
【０３７２】
すなわち、レコーダ装置１００・１５０は、各機能を実現する制御プログラムの命令を実行するＣＰＵ（central processing unit）、前記プログラムを格納したＲＯＭ（read only memory）、前記プログラムを展開するＲＡＭ（random access memory）、前記プロ
グラムおよび各種データを格納するメモリ等の記憶装置（記録媒体）などを備えている。そして、本発明の目的は、上述した機能を実現するソフトウェアであるレコーダ装置１００・１５０の制御プログラムのプログラムコード（実行形式プログラム、中間コードプログラム、ソースプログラム）をコンピュータで読み取り可能に記録した記録媒体を、前記レコーダ装置１００・１５０に供給し、そのコンピュータ（またはＣＰＵやＭＰＵ）が記録媒体に記録されているプログラムコードを読み出し実行することによっても、達成可能である。
【０３７３】
前記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０３７４】
また、レコーダ装置１００・１５０を通信ネットワークと接続可能に構成し、前記プログラムコードを通信ネットワークを介して供給しても良い。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、
電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、前記プログラムコードが電子的な伝送で具現化された、搬送波に埋め込まれたコンピュータデータ信号の形態でも実現され得る。
【０３７５】
なお、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０３７６】
本発明は、光ディスクを装着するトレイを複数備えた再生装置、その再生装置に係るコンテンツ情報抽出方法、コンテンツ情報抽出プログラム、及びコンピュータ読み取り可能な記録媒体に適用することができる。
【符号の説明】
【０３７７】
９      光ピックアップ
１０    スピンドルモータ
１２    ターンテーブル
１５ａ〜１５ｄ  トレイ（装着部）
１６    回転軸
１７    ディスク検知センサ
２５    ディスクドライブ
３０    筐体
３５    データ処理部
４０    システム制御部
５０    不揮発性記録媒体
６０    再生リスト表示処理部
１００・１５０  レコーダ装置（再生装置）
２００  バックエンド部
２１０  チューナー部
２２０  エンコーダ部
２３０  ストリーム処理部
２４０  バックエンド制御部
２４５  コンテンツ情報取得部（取得手段）
２５０  バッファ部
２５５  抽出部（抽出手段）
２６０  デコーダ部
２７０  画像処理部（表示制御手段）
２８０  記憶部
２９０・３１０  インターフェース部
３００  ドライブ部
３２０  ドライブ制御部
３３０  ディスクドライブ部
３４０  記憶部（メモリ）
５００  表示装置
５１０  コンテンツ表示部
５２０  タイトルリスト表示部
５３０  表示部
【図１】
2010250911.tif 000003
【図２】
2010250911.tif 000004
【図３】
2010250911.tif 000005
【図４】
2010250911.tif 000006
【図５】
2010250911.tif 000007
【図６】
2010250911.tif 000008
【図７】
2010250911.tif 000009
【図８】
2010250911.tif 000010
【図９】
2010250911.tif 000011
【図１０】
2010250911.tif 000012
【図１１】
2010250911.tif 000013
【図１２】
2010250911.tif 000014
【図１３】
2010250911.tif 000015
【図１４】
2010250911.tif 000016
【図１５】
2010250911.tif 000017
【図１６】
2010250911.tif 000018
【図１７】
2010250911.tif 000019
【図１８】
2010250911.tif 000020
【図１９】
2010250911.tif 000021
【図２０】
2010250911.tif 000022
【図２１】
2010250911.tif 000023
【図２２】
2010250911.tif 000024
【図２３】
2010250911.tif 000025
【図２４】
2010250911.tif 000026
【図２５】
2010250911.tif 000027
【図２６】
2010250911.tif 000028
【図２７】
2010250911.tif 000029
【図２８】
2010250911.tif 000030
【図２９】
2010250911.tif 000031
【図３０】
2010250911.tif 000032
【図３１】
2010250911.tif 000033
【図３２】
2010250911.tif 000034
【図３３】
2010250911.tif 000035
【図３４】
2010250911.tif 000036
【図３５】
2010250911.tif 000037
【図３６】
2010250911.tif 000038
【図３７】
2010250911.tif 000039
【図３８】
2010250911.tif 000040
【図３９】
2010250911.tif 000041